(57)【要約】【課題】音声通話中に、携帯電話機に格納された通話中の相手に関する電子メールを参照する場合、煩雑な操作を数多く通話しながら行なう必要がある。【解決手段】音声通信手段１と、電子メールを行なうためのメール通信手段２と、音声通信手段とメール通信手段とが表示する２種類の画面を切り換える機能を提供する画面表示切換手段３と、電話番号から電話帳を検索する電話帳検索手段４と、メールアドレスから送受信したメールを検索するメール検索手段５と、電話の発信先電話番号／発信元電話番号を記録する発着信履歴データベース６と、電話帳データを格納する電話帳データベース７と、メールを格納するメールデータベース８と、オペレーティングシステムのタスク実行管理手段９とから構成される。あらかじめ定められたキーの押下により、通話相手先の電話番号から、現在音声通話中の相手とのやりとりを行なったメールのみを抽出し表示する。【選択図】　　　図１
2004147070.tif 000002
【特許請求の範囲】
【請求項１】
利用者が音声による通信を行なうための音声通信手段と、電子メールの閲覧・編集・送受信を行なうためのメール通信手段と、音声通信手段とメール通信手段とが表示する２種類の画面を管理し、適宜画面表示を切り換える機能を提供する画面表示切換手段と、電話番号から電話帳データを検索する電話帳検索手段と、メールアドレスから送受信したメールを検索するメール検索手段と、電話の発信先電話番号／発信元電話番号を記録する発着信履歴データベースと、電話帳データを格納する電話帳データベースと、メールを格納するメールデータベースと、各手段の実行をハードウェアによる割り込み及び各手段間のメッセージ送受信に従って切り替えることができるオペレーティングシステムの一部機能のタスク実行管理手段と、を備え、発信の場合は、利用者が発信先電話番号を入力し、発信処理を行い、発信後、発着信履歴データベースに対して発信先電話番号の登録を行ない、発着信履歴書き込み後、通話処理に移行し、着信の場合は、通信網から通知された発信元電話番号を取得し、着信があることを画面表示し、接続後、発着信履歴データベースに対して発信元電話番号の登録を行ない、発着信履歴書き込み後、通話処理に移行し、音声通話中に利用者により、あらかじめ定められたキーの押下により、通話相手先の電話番号から、通話相手とやりとりし携帯電話機に格納された多数の電子メールの中から、現在音声通話中の相手とのやりとりを行なったメールのみを抽出し表示することを特徴とする通信端末。
【請求項２】
利用者が音声による通信を行なうための音声通信手段と、電子メールの閲覧・編集・送受信を行なうためのメール通信手段と、音声通信手段とメール通信手段とが表示する２種類の画面を管理し、適宜画面表示を切り換える機能を提供する画面表示切換手段と、電話番号から電話帳データを検索する電話帳検索手段と、メールアドレスから送受信したメールを検索するメール検索手段と、電話の発信先電話番号／発信元電話番号を記録する発着信履歴データベースと、電話帳データを格納する電話帳データベースと、メールを格納するメールデータベースと、各手段の実行をハードウェアによる割り込み及び各手段間のメッセージ送受信に従って切り替えることができるオペレーティングシステムの一部機能のタスク実行管理手段と、を備え、発信の場合は、利用者が発信先電話番号を入力し、発信処理を行い、発信後、発着信履歴データベースに対して発信先電話番号の登録を行ない、発着信履歴書き込み後、通話処理に移行し、着信の場合は、通信網から通知された発信元電話番号を取得し、着信があることを画面表示し、接続後、発着信履歴データベースに対して発信元電話番号の登録を行ない、発着信履歴書き込み後、通話処理に移行し、音声通話中に利用者により、あらかじめ定められたキーの押下により、音声通信手段は、発着信履歴データベースに現在の通話が発信接続であれば発信時の履歴情報として、また着信接続であれば着信時の履歴情報として通話中の通話相手の電話番号を読み出し、電話帳検索手段により読み出した通話相手の電話番号をもとに電話帳データベースを検索し、検索された電話帳データベースの電話帳からメールアドレスを読み出し、画面表示切換手段を通じて、メール通信手段を呼び出し、メール操作画面を表示することを特徴とする通信端末。
【請求項３】
利用者が音声による通信を行なうための音声通信手段と、電子メールの閲覧・編集・送受信を行なうためのメール通信手段と、音声通信手段とメール通信手段とが表示する２種類の画面を管理し、適宜画面表示を切り換える機能を提供する画面表示切換手段と、電話番号から電話帳データを検索する電話帳検索手段と、メールアドレスから送受信したメールを検索するメール検索手段と、電話の発信先電話番号／発信元電話番号を記録する発着信履歴データベースと、電話帳データを格納する電話帳データベースと、メールを格納するメールデータベースと、各手段の実行をハードウェアによる割り込み及び各手段間のメッセージ送受信に従って切り替えることができるオペレーティングシステムの一部機能のタスク実行管理手段と、を備え、発信の場合は、利用者が発信先電話番号を入力し、発信処理を行い、発信後、発着信履歴データベースに対して発信先電話番号の登録を行ない、発着信履歴書き込み後、通話処理に移行し、着信の場合は、通信網から通知された発信元電話番号を取得し、着信があることを画面表示し、接続後、発着信履歴データベースに対して発信元電話番号の登録を行ない、発着信履歴書き込み後、通話処理に移行し、音声通話中に利用者により、あらかじめ定められたキーの押下により、音声通信手段は、発着信履歴データベースに現在の通話が発信接続であれば発信時の履歴情報として、また着信接続であれば着信時の履歴情報として通話中の通話相手の電話番号を読み出し、電話帳検索手段により読み出した通話相手の電話番号をもとに電話帳データベースを検索し、検索された電話帳データベースの電話帳からメールアドレスを読み出し、画面表示切換手段を通じて、メール通信手段を呼び出し、メール操作画面を表示し、音声通信手段は、呼び出したメール通信手段に対して読み出したメールアドレスを通知し、通話処理継続により音声通信を継続することを特徴とする通信端末。
【請求項４】
利用者が音声による通信を行なうための音声通信手段と、電子メールの閲覧・編集・送受信を行なうためのメール通信手段と、音声通信手段とメール通信手段とが表示する２種類の画面を管理し、適宜画面表示を切り換える機能を提供する画面表示切換手段と、電話番号から電話帳データを検索する電話帳検索手段と、メールアドレスから送受信したメールを検索するメール検索手段と、電話の発信先電話番号／発信元電話番号を記録する発着信履歴データベースと、電話帳データを格納する電話帳データベースと、メールを格納するメールデータベースと、各手段の実行をハードウェアによる割り込み及び各手段間のメッセージ送受信に従って切り替えることができるオペレーティングシステムの一部機能のタスク実行管理手段と、を備え、発信の場合は、利用者が発信先電話番号を入力し、発信処理を行い、発信後、発着信履歴データベースに対して発信先電話番号の登録を行ない、発着信履歴書き込み後、通話処理に移行し、着信の場合は、通信網から通知された発信元電話番号を取得し、着信があることを画面表示し、接続後、発着信履歴データベースに対して発信元電話番号の登録を行ない、発着信履歴書き込み後、通話処理に移行し、音声通話中に利用者により、あらかじめ定められたキーの押下により、音声通信手段は、発着信履歴データベースに現在の通話が発信接続であれば発信時の履歴情報として、また着信接続であれば着信時の履歴情報として通話中の通話相手の電話番号を読み出し、電話帳検索手段により、検索キーとして電話番号を取得し、電話帳データベースに格納された電話帳データを１件ずつ読み出し、読み出した電話帳データに格納された複数の電話番号のいずれかが検索キーの電話番号に一致した場合は、その電話帳データを検索結果として音声通信手段に対して出力し、一致しなければ次のレコードを読み出し、同じ処理を繰り返し、全レコードを参照しても、検索キーに一致する電話番号がなかった場合は、音声通信手段に対して、”該当レコード無し”の情報を通知し、メール通信手段は、音声通信手段よりメールアドレスを受信し、受信したメールアドレスにより、メール検索手段を使用してメールの検索を行ない、メール検索手段は、指定されたメールアドレスを、メールの宛先または発信元に含むメールを全て検索し、メール通信手段に通知し、メール通信手段は、検索されたメールを一覧の形で画面表示を行ない、利用者は音声通話を継続し、メールが表示されることを特徴とする通信端末。
【請求項５】
利用者が音声による通信を行なうための音声通信手段と、電子メールの閲覧・編集・送受信を行なうためのメール通信手段と、音声通信手段とメール通信手段とが表示する２種類の画面を管理し、適宜画面表示を切り換える機能を提供する画面表示切換手段と、電話番号から電話帳データを検索する電話帳検索手段と、メールアドレスから送受信したメールを検索するメール検索手段と、電話の発信先電話番号／発信元電話番号を記録する発着信履歴データベースと、電話帳データを格納する電話帳データベースと、メールを格納するメールデータベースと、各手段の実行をハードウェアによる割り込み及び各手段間のメッセージ送受信に従って切り替えることができるオペレーティングシステムの一部機能のタスク実行管理手段と、を備え、発信の場合は、利用者が発信先電話番号を入力し、発信処理を行い、発信後、発着信履歴データベースに対して発信先電話番号の登録を行ない、発着信履歴書き込み後、通話処理に移行し、着信の場合は、通信網から通知された発信元電話番号を取得し、着信があることを画面表示し、接続後、発着信履歴データベースに対して発信元電話番号の登録を行ない、発着信履歴書き込み後、通話処理に移行し、音声通話中に利用者により、あらかじめ定められたキーの押下により、音声通信手段は、発着信履歴データベースに現在の通話が発信接続であれば発信時の履歴情報として、また着信接続であれば着信時の履歴情報として通話中の通話相手の電話番号を読み出し、電話帳検索手段により、検索キーとして電話番号を取得し、電話帳データベースに格納された電話帳データを１件ずつ読み出し、読み出した電話帳データに格納された複数の電話番号のいずれかが検索キーの電話番号に一致した場合は、その電話帳データを検索結果として音声通信手段に対して出力し、一致しなければ次のレコードを読み出し、同じ処理を繰り返し、全レコードを参照しても、検索キーに一致する電話番号がなかった場合は、音声通信手段に対して、”該当レコード無し”の情報を通知し、メール通信手段は、音声通信手段よりメールアドレスを受信し、受信したメールアドレスにより、メール検索手段を使用してメールの検索を行ない、メール検索手段は、検索キーとして、メールアドレスを取得し、メールデータベースに格納されたメールデータを１件ずつ読み出し、読み出したメールデータに格納された宛先もしくは発信元が、検索キーとして指定されたいずれかのメールアドレスに一致した場合は、メールデータを検索結果としてメール通信手段に出力し、一致しなければ次のレコードを読み出し、同じ処理を繰り返し、全レコードを参照しても、検索キーに一致するメールアドレスがなかった場合は、メール通信手段に対して”該当レコード無し”の情報を通知し、画面表示切換手段は、音声通信手段が表示装置に表示する画面表示内容と、メール通信手段が表示する画面表示内容の２つの内容を画面表示情報として保持し、現在、表示装置上に表示する画面は音声通信手段かメール通信手段の区別を現在の有効画面として保持し、実際に表示装置上に表示する表示内容は、画面バッファに格納され、定期的かあるいは画面バッファの内容が更新されると、画面表示切替手段は表示装置に画面バッファの内容を転送し、表示画面が更新され、画面表示情報に格納された２つの画面情報は、画面セレクタを介して画面バッファに転送され、画面セレクタは現在の有効画面の情報に従い、音声通信手段画面情報かメール通信手段画面情報のいずれか一方を常に画面バッファに転送し、現在の有効画面の情報を書き換えることで、表示装置に表示する画面内容を、音声通信手段かメール通信手段かのいずれかに随時切り替えることを特徴とする通信端末。
【請求項６】
利用者が音声による通信を行なうための音声通信手段と、電子メールの閲覧・編集・送受信を行なうためのメール通信手段と、音声通信手段とメール通信手段とが表示する２種類の画面を管理し、適宜画面表示を切り換える機能を提供する画面表示切換手段と、電話番号から電話帳データを検索する電話帳検索手段と、メールアドレスから送受信したメールを検索するメール検索手段と、電話の発信先電話番号／発信元電話番号を記録する発着信履歴データベースと、電話帳データを格納する電話帳データベースと、メールを格納するメールデータベースと、各手段の実行をハードウェアによる割り込み及び各手段間のメッセージ送受信に従って切り替えることができるオペレーティングシステムの一部機能のタスク実行管理手段と、を備える通信端末における電子メール検索方法であって、発信の場合は、利用者が発信先電話番号を入力し、発信処理を行い、発信後、発着信履歴データベースに対して発信先電話番号の登録を行ない、発着信履歴書き込み後、通話処理に移行し、着信の場合は、通信網から通知された発信元電話番号を取得し、着信があることを画面表示し、接続後、発着信履歴データベースに対して発信元電話番号の登録を行ない、発着信履歴書き込み後、通話処理に移行し、音声通話中に利用者により、あらかじめ定められたキーの押下により、通話相手先の電話番号から、通話相手とやりとりし携帯電話機に格納された多数の電子メールの中から、現在音声通話中の相手とのやりとりを行なったメールのみを抽出し表示することを特徴とする通信端末の電子メール検索方法。
【請求項７】
利用者が音声による通信を行なうための音声通信手段と、電子メールの閲覧・編集・送受信を行なうためのメール通信手段と、音声通信手段とメール通信手段とが表示する２種類の画面を管理し、適宜画面表示を切り換える機能を提供する画面表示切換手段と、電話番号から電話帳データを検索する電話帳検索手段と、メールアドレスから送受信したメールを検索するメール検索手段と、電話の発信先電話番号／発信元電話番号を記録する発着信履歴データベースと、電話帳データを格納する電話帳データベースと、メールを格納するメールデータベースと、各手段の実行をハードウェアによる割り込み及び各手段間のメッセージ送受信に従って切り替えることができるオペレーティングシステムの一部機能のタスク実行管理手段と、を備える通信端末における電子メール検索方法であって、発信の場合は、利用者が発信先電話番号を入力し、発信処理を行い、発信後、発着信履歴データベースに対して発信先電話番号の登録を行ない、発着信履歴書き込み後、通話処理に移行し、着信の場合は、通信網から通知された発信元電話番号を取得し、着信があることを画面表示し、接続後、発着信履歴データベースに対して発信元電話番号の登録を行ない、発着信履歴書き込み後、通話処理に移行し、音声通話中に利用者により、あらかじめ定められたキーの押下により、音声通信手段は、発着信履歴データベースに現在の通話が発信接続であれば発信時の履歴情報として、また着信接続であれば着信時の履歴情報として通話中の通話相手の電話番号を読み出し、電話帳検索手段により読み出した通話相手の電話番号をもとに電話帳データベースを検索し、検索された電話帳データベースの電話帳からメールアドレスを読み出し、画面表示切換手段を通じて、メール通信手段を呼び出し、メール操作画面を表示することを特徴とする通信端末の電子メール検索方法。
【請求項８】
利用者が音声による通信を行なうための音声通信手段と、電子メールの閲覧・編集・送受信を行なうためのメール通信手段と、音声通信手段とメール通信手段とが表示する２種類の画面を管理し、適宜画面表示を切り換える機能を提供する画面表示切換手段と、電話番号から電話帳データを検索する電話帳検索手段と、メールアドレスから送受信したメールを検索するメール検索手段と、電話の発信先電話番号／発信元電話番号を記録する発着信履歴データベースと、電話帳データを格納する電話帳データベースと、メールを格納するメールデータベースと、各手段の実行をハードウェアによる割り込み及び各手段間のメッセージ送受信に従って切り替えることができるオペレーティングシステムの一部機能のタスク実行管理手段と、を備える通信端末における電子メール検索方法であって、発信の場合は、利用者が発信先電話番号を入力し、発信処理を行い、発信後、発着信履歴データベースに対して発信先電話番号の登録を行ない、発着信履歴書き込み後、通話処理に移行し、着信の場合は、通信網から通知された発信元電話番号を取得し、着信があることを画面表示し、接続後、発着信履歴データベースに対して発信元電話番号の登録を行ない、発着信履歴書き込み後、通話処理に移行し、音声通話中に利用者により、あらかじめ定められたキーの押下により、音声通信手段は、発着信履歴データベースに現在の通話が発信接続であれば発信時の履歴情報として、また着信接続であれば着信時の履歴情報として通話中の通話相手の電話番号を読み出し、電話帳検索手段により読み出した通話相手の電話番号をもとに電話帳データベースを検索し、検索された電話帳データベースの電話帳からメールアドレスを読み出し、画面表示切換手段を通じて、メール通信手段を呼び出し、メール操作画面を表示し、音声通信手段は、呼び出したメール通信手段に対して読み出したメールアドレスを通知し、通話処理継続により音声通信を継続することを特徴とする通信端末の電子メール検索方法。
【請求項９】
利用者が音声による通信を行なうための音声通信手段と、電子メールの閲覧・編集・送受信を行なうためのメール通信手段と、音声通信手段とメール通信手段とが表示する２種類の画面を管理し、適宜画面表示を切り換える機能を提供する画面表示切換手段と、電話番号から電話帳データを検索する電話帳検索手段と、メールアドレスから送受信したメールを検索するメール検索手段と、電話の発信先電話番号／発信元電話番号を記録する発着信履歴データベースと、電話帳データを格納する電話帳データベースと、メールを格納するメールデータベースと、各手段の実行をハードウェアによる割り込み及び各手段間のメッセージ送受信に従って切り替えることができるオペレーティングシステムの一部機能のタスク実行管理手段と、を備える通信端末における電子メール検索方法であって、発信の場合は、利用者が発信先電話番号を入力し、発信処理を行い、発信後、発着信履歴データベースに対して発信先電話番号の登録を行ない、発着信履歴書き込み後、通話処理に移行し、着信の場合は、通信網から通知された発信元電話番号を取得し、着信があることを画面表示し、接続後、発着信履歴データベースに対して発信元電話番号の登録を行ない、発着信履歴書き込み後、通話処理に移行し、音声通話中に利用者により、あらかじめ定められたキーの押下により、音声通信手段は、発着信履歴データベースに現在の通話が発信接続であれば発信時の履歴情報として、また着信接続であれば着信時の履歴情報として通話中の通話相手の電話番号を読み出し、電話帳検索手段により、検索キーとして電話番号を取得し、電話帳データベースに格納された電話帳データを１件ずつ読み出し、読み出した電話帳データに格納された複数の電話番号のいずれかが検索キーの電話番号に一致した場合は、その電話帳データを検索結果として音声通信手段に対して出力し、一致しなければ次のレコードを読み出し、同じ処理を繰り返し、全レコードを参照しても、検索キーに一致する電話番号がなかった場合は、音声通信手段に対して、”該当レコード無し”の情報を通知し、メール通信手段は、音声通信手段よりメールアドレスを受信し、受信したメールアドレスにより、メール検索手段を使用してメールの検索を行ない、メール検索手段は、指定されたメールアドレスを、メールの宛先または発信元に含むメールを全て検索し、メール通信手段に通知し、メール通信手段は、検索されたメールを一覧の形で画面表示を行ない、利用者は音声通話を継続し、メールが表示されることを特徴とする通信端末の電子メール検索方法。
【請求項１０】
利用者が音声による通信を行なうための音声通信手段と、電子メールの閲覧・編集・送受信を行なうためのメール通信手段と、音声通信手段とメール通信手段とが表示する２種類の画面を管理し、適宜画面表示を切り換える機能を提供する画面表示切換手段と、電話番号から電話帳データを検索する電話帳検索手段と、メールアドレスから送受信したメールを検索するメール検索手段と、電話の発信先電話番号／発信元電話番号を記録する発着信履歴データベースと、電話帳データを格納する電話帳データベースと、メールを格納するメールデータベースと、各手段の実行をハードウェアによる割り込み及び各手段間のメッセージ送受信に従って切り替えることができるオペレーティングシステムの一部機能のタスク実行管理手段と、を備える通信端末における電子メール検索方法であって、発信の場合は、利用者が発信先電話番号を入力し、発信処理を行い、発信後、発着信履歴データベースに対して発信先電話番号の登録を行ない、発着信履歴書き込み後、通話処理に移行し、着信の場合は、通信網から通知された発信元電話番号を取得し、着信があることを画面表示し、接続後、発着信履歴データベースに対して発信元電話番号の登録を行ない、発着信履歴書き込み後、通話処理に移行し、音声通話中に利用者により、あらかじめ定められたキーの押下により、音声通信手段は、発着信履歴データベースに現在の通話が発信接続であれば発信時の履歴情報として、また着信接続であれば着信時の履歴情報として通話中の通話相手の電話番号を読み出し、電話帳検索手段により、検索キーとして電話番号を取得し、電話帳データベースに格納された電話帳データを１件ずつ読み出し、読み出した電話帳データに格納された複数の電話番号のいずれかが検索キーの電話番号に一致した場合は、その電話帳データを検索結果として音声通信手段に対して出力し、一致しなければ次のレコードを読み出し、同じ処理を繰り返し、全レコードを参照しても、検索キーに一致する電話番号がなかった場合は、音声通信手段に対して、”該当レコード無し”の情報を通知し、メール通信手段は、音声通信手段よりメールアドレスを受信し、受信したメールアドレスにより、メール検索手段を使用してメールの検索を行ない、メール検索手段は、検索キーとして、メールアドレスを取得し、メールデータベースに格納されたメールデータを１件ずつ読み出し、読み出したメールデータに格納された宛先もしくは発信元が、検索キーとして指定されたいずれかのメールアドレスに一致した場合は、メールデータを検索結果としてメール通信手段に出力し、一致しなければ次のレコードを読み出し、同じ処理を繰り返し、全レコードを参照しても、検索キーに一致するメールアドレスがなかった場合は、メール通信手段に対して”該当レコード無し”の情報を通知し、画面表示切換手段は、音声通信手段が表示装置に表示する画面表示内容と、メール通信手段が表示する画面表示内容の２つの内容を画面表示情報として保持し、現在、表示装置上に表示する画面は音声通信手段かメール通信手段の区別を現在の有効画面として保持し、実際に表示装置上に表示する表示内容は、画面バッファに格納され、定期的かあるいは画面バッファの内容が更新されると、画面表示切替手段は表示装置に画面バッファの内容を転送し、表示画面が更新され、画面表示情報に格納された２つの画面情報は、画面セレクタを介して画面バッファに転送され、画面セレクタは現在の有効画面の情報に従い、音声通信手段画面情報かメール通信手段画面情報のいずれか一方を常に画面バッファに転送し、現在の有効画面の情報を書き換えることで、表示装置に表示する画面内容を、音声通信手段かメール通信手段かのいずれかに随時切り替えることを特徴とする通信端末の電子メール検索方法。
【請求項１１】
利用者が音声による通信を行なうための音声通信手段と、電子メールの閲覧・編集・送受信を行なうためのメール通信手段と、音声通信手段とメール通信手段とが表示する２種類の画面を管理し、適宜画面表示を切り換える機能を提供する画面表示切換手段と、電話番号から電話帳データを検索する電話帳検索手段と、メールアドレスから送受信したメールを検索するメール検索手段と、電話の発信先電話番号／発信元電話番号を記録する発着信履歴データベースと、電話帳データを格納する電話帳データベースと、メールを格納するメールデータベースと、各手段の実行をハードウェアによる割り込み及び各手段間のメッセージ送受信に従って切り替えることができるオペレーティングシステムの一部機能のタスク実行管理手段と、を備える通信端末における電子メール検索処理において、発信の場合は、利用者が発信先電話番号を入力し、発信処理を行い、発信後、発着信履歴データベースに対して発信先電話番号の登録を行ない、発着信履歴書き込み後、通話処理に移行し、着信の場合は、通信網から通知された発信元電話番号を取得し、着信があることを画面表示し、接続後、発着信履歴データベースに対して発信元電話番号の登録を行ない、発着信履歴書き込み後、通話処理に移行し、音声通話中に利用者により、あらかじめ定められたキーの押下により、通話相手先の電話番号から、通話相手とやりとりし携帯電話機に格納された多数の電子メールの中から、現在音声通話中の相手とのやりとりを行なったメールのみを抽出し表示する処理をコンピュータに実行させるためのプログラム。
【請求項１２】
利用者が音声による通信を行なうための音声通信手段と、電子メールの閲覧・編集・送受信を行なうためのメール通信手段と、音声通信手段とメール通信手段とが表示する２種類の画面を管理し、適宜画面表示を切り換える機能を提供する画面表示切換手段と、電話番号から電話帳データを検索する電話帳検索手段と、メールアドレスから送受信したメールを検索するメール検索手段と、電話の発信先電話番号／発信元電話番号を記録する発着信履歴データベースと、電話帳データを格納する電話帳データベースと、メールを格納するメールデータベースと、各手段の実行をハードウェアによる割り込み及び各手段間のメッセージ送受信に従って切り替えることができるオペレーティングシステムの一部機能のタスク実行管理手段と、を備える通信端末における電子メール検索処理において、発信の場合は、利用者が発信先電話番号を入力し、発信処理を行い、発信後、発着信履歴データベースに対して発信先電話番号の登録を行ない、発着信履歴書き込み後、通話処理に移行し、着信の場合は、通信網から通知された発信元電話番号を取得し、着信があることを画面表示し、接続後、発着信履歴データベースに対して発信元電話番号の登録を行ない、発着信履歴書き込み後、通話処理に移行し、音声通話中に利用者により、あらかじめ定められたキーの押下により、音声通信手段は、発着信履歴データベースに現在の通話が発信接続であれば発信時の履歴情報として、また着信接続であれば着信時の履歴情報として通話中の通話相手の電話番号を読み出し、電話帳検索手段により読み出した通話相手の電話番号をもとに電話帳データベースを検索し、検索された電話帳データベースの電話帳からメールアドレスを読み出し、画面表示切換手段を通じて、メール通信手段を呼び出し、メール操作画面を表示する処理をコンピュータに実行させるためのプログラム。
【請求項１３】
利用者が音声による通信を行なうための音声通信手段と、電子メールの閲覧・編集・送受信を行なうためのメール通信手段と、音声通信手段とメール通信手段とが表示する２種類の画面を管理し、適宜画面表示を切り換える機能を提供する画面表示切換手段と、電話番号から電話帳データを検索する電話帳検索手段と、メールアドレスから送受信したメールを検索するメール検索手段と、電話の発信先電話番号／発信元電話番号を記録する発着信履歴データベースと、電話帳データを格納する電話帳データベースと、メールを格納するメールデータベースと、各手段の実行をハードウェアによる割り込み及び各手段間のメッセージ送受信に従って切り替えることができるオペレーティングシステムの一部機能のタスク実行管理手段と、を備える通信端末における電子メール検索処理において、発信の場合は、利用者が発信先電話番号を入力し、発信処理を行い、発信後、発着信履歴データベースに対して発信先電話番号の登録を行ない、発着信履歴書き込み後、通話処理に移行し、着信の場合は、通信網から通知された発信元電話番号を取得し、着信があることを画面表示し、接続後、発着信履歴データベースに対して発信元電話番号の登録を行ない、発着信履歴書き込み後、通話処理に移行し、音声通話中に利用者により、あらかじめ定められたキーの押下により、音声通信手段は、発着信履歴データベースに現在の通話が発信接続であれば発信時の履歴情報として、また着信接続であれば着信時の履歴情報として通話中の通話相手の電話番号を読み出し、電話帳検索手段により読み出した通話相手の電話番号をもとに電話帳データベースを検索し、検索された電話帳データベースの電話帳からメールアドレスを読み出し、画面表示切換手段を通じて、メール通信手段を呼び出し、メール操作画面を表示し、音声通信手段は、呼び出したメール通信手段に対して読み出したメールアドレスを通知し、通話処理継続により音声通信を継続する処理をコンピュータに実行させるためのプログラム。
【請求項１４】
利用者が音声による通信を行なうための音声通信手段と、電子メールの閲覧・編集・送受信を行なうためのメール通信手段と、音声通信手段とメール通信手段とが表示する２種類の画面を管理し、適宜画面表示を切り換える機能を提供する画面表示切換手段と、電話番号から電話帳データを検索する電話帳検索手段と、メールアドレスから送受信したメールを検索するメール検索手段と、電話の発信先電話番号／発信元電話番号を記録する発着信履歴データベースと、電話帳データを格納する電話帳データベースと、メールを格納するメールデータベースと、各手段の実行をハードウェアによる割り込み及び各手段間のメッセージ送受信に従って切り替えることができるオペレーティングシステムの一部機能のタスク実行管理手段と、を備える通信端末における電子メール検索処理において、発信の場合は、利用者が発信先電話番号を入力し、発信処理を行い、発信後、発着信履歴データベースに対して発信先電話番号の登録を行ない、発着信履歴書き込み後、通話処理に移行し、着信の場合は、通信網から通知された発信元電話番号を取得し、着信があることを画面表示し、接続後、発着信履歴データベースに対して発信元電話番号の登録を行ない、発着信履歴書き込み後、通話処理に移行し、音声通話中に利用者により、あらかじめ定められたキーの押下により、音声通信手段は、発着信履歴データベースに現在の通話が発信接続であれば発信時の履歴情報として、また着信接続であれば着信時の履歴情報として通話中の通話相手の電話番号を読み出し、電話帳検索手段により、検索キーとして電話番号を取得し、電話帳データベースに格納された電話帳データを１件ずつ読み出し、読み出した電話帳データに格納された複数の電話番号のいずれかが検索キーの電話番号に一致した場合は、その電話帳データを検索結果として音声通信手段に対して出力し、一致しなければ次のレコードを読み出し、同じ処理を繰り返し、全レコードを参照しても、検索キーに一致する電話番号がなかった場合は、音声通信手段に対して、”該当レコード無し”の情報を通知し、メール通信手段は、音声通信手段よりメールアドレスを受信し、受信したメールアドレスにより、メール検索手段を使用してメールの検索を行ない、メール検索手段は、指定されたメールアドレスを、メールの宛先または発信元に含むメールを全て検索し、メール通信手段に通知し、メール通信手段は、検索されたメールを一覧の形で画面表示を行ない、利用者は音声通話を継続し、メールが表示される処理をコンピュータに実行させるためのプログラム。
【請求項１５】
利用者が音声による通信を行なうための音声通信手段と、電子メールの閲覧・編集・送受信を行なうためのメール通信手段と、音声通信手段とメール通信手段とが表示する２種類の画面を管理し、適宜画面表示を切り換える機能を提供する画面表示切換手段と、電話番号から電話帳データを検索する電話帳検索手段と、メールアドレスから送受信したメールを検索するメール検索手段と、電話の発信先電話番号／発信元電話番号を記録する発着信履歴データベースと、電話帳データを格納する電話帳データベースと、メールを格納するメールデータベースと、各手段の実行をハードウェアによる割り込み及び各手段間のメッセージ送受信に従って切り替えることができるオペレーティングシステムの一部機能のタスク実行管理手段と、を備える通信端末における電子メール検索処理において、発信の場合は、利用者が発信先電話番号を入力し、発信処理を行い、発信後、発着信履歴データベースに対して発信先電話番号の登録を行ない、発着信履歴書き込み後、通話処理に移行し、着信の場合は、通信網から通知された発信元電話番号を取得し、着信があることを画面表示し、接続後、発着信履歴データベースに対して発信元電話番号の登録を行ない、発着信履歴書き込み後、通話処理に移行し、音声通話中に利用者により、あらかじめ定められたキーの押下により、音声通信手段は、発着信履歴データベースに現在の通話が発信接続であれば発信時の履歴情報として、また着信接続であれば着信時の履歴情報として通話中の通話相手の電話番号を読み出し、電話帳検索手段により、検索キーとして電話番号を取得し、電話帳データベースに格納された電話帳データを１件ずつ読み出し、読み出した電話帳データに格納された複数の電話番号のいずれかが検索キーの電話番号に一致した場合は、その電話帳データを検索結果として音声通信手段に対して出力し、一致しなければ次のレコードを読み出し、同じ処理を繰り返し、全レコードを参照しても、検索キーに一致する電話番号がなかった場合は、音声通信手段に対して、”該当レコード無し”の情報を通知し、メール通信手段は、音声通信手段よりメールアドレスを受信し、受信したメールアドレスにより、メール検索手段を使用してメールの検索を行ない、メール検索手段は、検索キーとして、メールアドレスを取得し、メールデータベースに格納されたメールデータを１件ずつ読み出し、読み出したメールデータに格納された宛先もしくは発信元が、検索キーとして指定されたいずれかのメールアドレスに一致した場合は、メールデータを検索結果としてメール通信手段に出力し、一致しなければ次のレコードを読み出し、同じ処理を繰り返し、全レコードを参照しても、検索キーに一致するメールアドレスがなかった場合は、メール通信手段に対して”該当レコード無し”の情報を通知し、画面表示切換手段は、音声通信手段が表示装置に表示する画面表示内容と、メール通信手段が表示する画面表示内容の２つの内容を画面表示情報として保持し、現在、表示装置上に表示する画面は音声通信手段かメール通信手段の区別を現在の有効画面として保持し、実際に表示装置上に表示する表示内容は、画面バッファに格納され、定期的かあるいは画面バッファの内容が更新されると、画面表示切替手段は表示装置に画面バッファの内容を転送し、表示画面が更新され、画面表示情報に格納された２つの画面情報は、画面セレクタを介して画面バッファに転送され、画面セレクタは現在の有効画面の情報に従い、音声通信手段画面情報かメール通信手段画面情報のいずれか一方を常に画面バッファに転送し、現在の有効画面の情報を書き換えることで、表示装置に表示する画面内容を、音声通信手段かメール通信手段かのいずれかに随時切り替える処理をコンピュータに実行させるためのプログラム。
【発明の詳細な説明】
【０００１】
【発明の属する技術分野】
本発明は通信端末および通信端末の電子メール検索方法に関し、特に携帯電話機に格納された多数の電子メールの中から、現在音声通話中の相手とのやりとりを行なったメールのみを、簡便な操作で利用者が参照することを可能とする通信端末および通信端末の電子メール検索方法に関する。
【０００２】
【従来の技術】
従来の通信端末および通信端末の電子メール検索方法は、
携帯電話機においては、音声通話だけでなく、電子メール等のインターネットアクセス機能を備えることが一般的となってきており、さらに音声通話を行ないながら、同時にインターネットアクセス等の他の作業を行なう事が可能な携帯電話機が登場している。
【０００３】
このような携帯電話機では、音声通話中に、携帯電話機に格納された通話中の相手に関する電子メール等の情報を参照しながら会話を行なうことが可能である。
【０００４】
しかしながら限られたキーにより日本語入力等の煩雑な操作を行なう必要がある。
【０００５】
１例をあげれば、
（１）通話中に電話帳機能を起動するためのキーを入力する。
【０００６】
（２）電話帳機能起動後、通話相手の名前もしくは電話番号を入力して、電話帳を検索し、通話相手のメールアドレスを確認する。
【０００７】
（３）電話帳機能を終了し、メール機能を起動するためのキーを入力する。
【０００８】
（４）先ほど確認したメールアドレスを検索キーとして、携帯電話機内に保存された送信メール及び受信メールを検索する。
【０００９】
といった手順を通話しながら行なう必要がある。
【００１０】
このような状況では５００件，１０００件という件数での情報が格納された電子メールの閲覧では、目的となる情報を得るためには煩雑な操作を数多く行う必要がある。
【００１１】
従来技術として、特開２００１−１５４９４７号公報がある（特許文献１参照。）。
【００１２】
これは、電話番号とメールアドレスを対応付けて記憶しておいて、電話番号を入力するだけで、自動的にメールアドレスを検索し出力する。
【００１３】
入力部から入力された電話番号は電話番号メモリ部に記憶される。抽出部は、電話番号メモリ部に記憶されている電話番号のうち、上ｎ桁の番号を抽出し、抽出メモリ部に記憶する。
【００１４】
抽出メモリ部に記憶された抽出データと、記憶部に記憶されたキャリア毎に設定されている電話番号とを照合する。照合された結果、記憶部の中に、適合データを検出することができれば、照合部は、適合する電話番号に対応して記憶されている“＠”以降のメールアドレスデータを合成部に出力する。
【００１５】
合成部は、“＠”以降のメールアドレスデータと電話番号メモリ部に記憶されている電話番号とを合成し表示部に表示する。ユーザは、作成されたメールアドレスの正誤を判定し、正しければ処理を終了する。
【００１６】
具体的には、移動電話の電話番号を入力する入力手段と、入力された前記電話番号の少なくともキャリアを特定する電話番号部分とメール作成のための情報を対応付けて記憶する記憶手段と、前記入力手段より入力された電話番号と、前記記憶手段に記憶されている電話番号部分の一致を検出する一致検出手段と、該一致検出手段による電話番号の一致を検出することにより、入力された電話番号と一致が検出された前記記憶手段に記憶されている電話番号部分に対応付けて記憶されているメール作成のための情報を繋ぎ合わせることによりメールアドレスを合成するメールアドレス合成手段と、を備えた電子メールアドレス作成システムである。
【００１７】
さらに、これは、前記電子メールアドレス作成システムにより作成されたメールアドレスを編集することを可能としたものである。
【００１８】
この電子メールアドレス作成システムによれば、移動電話の電話番号の少なくともキャリアを特定する電話番号部分とメール作成のための情報を対応付けて記憶しておき、電話番号を入力するだけで、メールアドレスが抽出でき、ユーザの入力の手間を著しく省略することができる。
【００１９】
また、従来技術として、特開２００１−１８９８０９号公報がある（特許文献２参照。）。
【００２０】
これは、通話機能と電子メール機能の相互の機能を融合させメール送信者宛に返信の電子メールの送信だけでなく、電話の発信を行う電子メール管理システムとその管理方法及びその管理プログラムを記録した記録媒体である。
【００２１】
電子メールを記録し管理する電子メール管理システムにおいて、各電子メールのデータから、電子メールの送信者を特定するための情報である送信者情報を検出する検出手段と、送信者情報と当該送信者の電話番号のデータの対応を記録し参照する電話帳機能部と、電子メールに対して検出手段が送信者情報を検出し、電話帳機能部からこの検出した送信者情報に対応する当該送信者の電話番号を検索し、当該送信者の電話番号に対し電話を発信するメール送信者通話手段を備える。
【００２２】
この電子メール管理システムは、電子メールを記録し管理する電子メール管理システムにおいて、各前記電子メールのデータから、前記電子メールの送信者を特定するための情報である送信者情報を検出する検出手段と、前記送信者情報と、当該送信者の電話番号のデータの対応を記録し参照する電話帳機能部と、前記電子メールに対して、前記検出手段が前記送信者情報を検出し、電話帳機能部からこの検出した前記送信者情報に対応する当該送信者の電話番号を検索し、当該送信者の電話番号に対し電話を発信するメール送信者通話手段を備える。
【００２３】
第２の電子メール管理システムは、前記記録された電子メールの内から、利用者が特定の電子メールを処理の対象として指定する電子メール指定手段と、前記指定した前記電子メールを表示する表示手段と、前記指定した前記電子メールの送信者に対して、返信の電子メールを作成し送信する電子メール返信手段と、前記指定した前記電子メールに対する、前記メール送信者通話手段による電話の発信及び前記電子メール返信手段による電子メールの返信の処理の、いずれかの実行する処理を指定する処理指定手段を備える。
【００２４】
第３の電子メール管理システムは、指定した電子メールの送信者に対して、前記電子メール返信手段による電子メールの返信を指示するメールボタン部と、指定した電子メールの送信者に対して、前記メール送信者通話手段による電話の発信を指示するオンフックボタン部を備える。
【００２５】
第４の電子メール管理システムは、電子メールの送信者名を表示する送信者名表示部と、電子メールの送信者の電子メールアドレスを表示する送信者アドレス表示部と、前記送信者名表示部と送信者アドレス表示部を利用者による選択を指定した状態にする状態選択手段と、前記状態選択手段により、前記送信者名表示部が選択されている場合に前記メール送信者通話手段による電話の発信を指示し、前記送信者アドレス表示部が選択されている場合に前記電子メール返信手段による電子メールの返信を指示する決定ボタン部を備える。
【００２６】
第５の電子メール管理システムは、前記送信者情報を、送信者の電子メールアドレスとすることを特徴とする。
【００２７】
第６の電子メール管理システムは、携帯電話機又は電話機能を内蔵する携帯情報端末における電子メールを管理する。
【００２８】
第１の電子メール管理方法は、電子メールを記録し管理する電子メール管理方法において、各前記電子メールのデータから、前記電子メールの送信者を特定するための情報である送信者情報を検出する検出ステップと、前記送信者情報と、当該送信者の電話番号のデータの対応を記録し参照する電話帳参照ステップと、前記電子メールに対して、前記検出ステップが前記送信者情報を検出し、電話帳機能部からこの検出した前記送信者情報に対応する当該送信者の電話番号を検索し、当該送信者の電話番号に対し電話を発信するメール送信者通話ステップを備える。
【００２９】
第２の電子メール管理方法は、前記記録された電子メールの内から、利用者が特定の電子メールを処理の対象として指定する電子メール指定ステップと、前記指定した前記電子メールを表示する表示ステップと、前記指定した前記電子メールの送信者に対して、返信の電子メールを作成し送信する電子メール返信ステップと、前記指定した前記電子メールに対する、前記メール送信者通話ステップによる電話の発信及び前記電子メール返信ステップによる電子メールの返信の処理の、いずれかの実行する処理を指定する処理指定ステップを備える。
【００３０】
第３の電子メール管理方法は、電子メールの送信者名を表示する送信者名表示ステップと、電子メールの送信者の電子メールアドレスを表示する送信者アドレス表示ステップと、前記送信者名表示部と送信者アドレス表示部を利用者による選択を指定した状態にする状態選択ステップと、前記状態選択ステップにより、前記送信者名表示部が選択されている場合に前記メール送信者通話ステップによる電話の発信を指示し、前記送信者アドレス表示部が選択されている場合に前記電子メール返信ステップによる電子メールの返信を指示する処理決定ステップを備え。
【００３１】
第４の電子メール管理方法は、前記送信者情報を、送信者の電子メールアドレスとする。
【００３２】
第１の電子メール管理プログラムを記録した記録媒体は、電子メールを記録し管理する電子メール管理プログラムを記録した記録媒体において、各前記電子メールのデータから、前記電子メールの送信者を特定するための情報である送信者情報を検出する検出ステップと、前記送信者情報と、当該送信者の電話番号のデータの対応を記録し参照する電話帳参照ステップと、前記電子メールに対して、前記検出ステップが前記送信者情報を検出し、電話帳機能部からこの検出した前記送信者情報に対応する当該送信者の電話番号を検索し、当該送信者の電話番号に対し電話を発信するメール送信者通話ステップを備える。
【００３３】
第２の電子メール管理プログラムを記録した記録媒体は、前記記録された電子メールの内から、利用者が特定の電子メールを処理の対象として指定する電子メール指定ステップと、前記指定した前記電子メールを表示する表示ステップと、前記指定した前記電子メールの送信者に対して、返信の電子メールを作成し送信する電子メール返信ステップと、前記指定した前記電子メールに対する、前記メール送信者通話ステップによる電話の発信及び前記電子メール返信ステップによる電子メールの返信の処理の、いずれかの実行する処理を指定する処理指定ステップを備え。
【００３４】
第３の電子メール管理プログラムを記録した記録媒体は、電子メールの送信者名を表示する送信者名表示ステップと、電子メールの送信者の電子メールアドレスを表示する送信者アドレス表示ステップと、前記送信者名表示部と送信者アドレス表示部を利用者による選択を指定した状態にする状態選択ステップと、前記状態選択ステップにより、前記送信者名表示部が選択されている場合に前記メール送信者通話ステップによる電話の発信を指示し、前記送信者アドレス表示部が選択されている場合に前記電子メール返信ステップによる電子メールの返信を指示する処理決定ステップを備える。
【００３５】
第４の電子メール管理プログラムを記録した記録媒体は、前記送信者情報を、送信者の電子メールアドレスとする。
【００３６】
第１の携帯端末は、電子メールを記録し管理する電子メール管理システムを備える携帯端末において、各前記電子メールのデータから、前記電子メールの送信者を特定するための情報である送信者情報を検出する検出手段と、前記送信者情報と、当該送信者の電話番号のデータの対応を記録し参照する電話帳機能部と、前記電子メールに対して、前記検出手段が前記送信者情報を検出し、電話帳機能部からこの検出した前記送信者情報に対応する当該送信者の電話番号を検索し、当該送信者の電話番号に対し電話を発信するメール送信者通話手段を備える。
【００３７】
第２の携帯端末は、前記記録された電子メールの内から、利用者が特定の電子メールを処理の対象として指定する電子メール指定手段と、前記指定した前記電子メールを表示する表示手段と、前記指定した前記電子メールの送信者に対して、返信の電子メールを作成し送信する電子メール返信手段と、前記指定した前記電子メールに対する、前記メール送信者通話手段による電話の発信及び前記電子メール返信手段による電子メールの返信の処理の、いずれかの実行する処理を指定する処理指定手段を備える。
【００３８】
第３の携帯端末は、指定した電子メールの送信者に対して、前記電子メール返信手段による電子メールの返信を指示するメールボタン部と、指定した電子メールの送信者に対して、前記メール送信者通話手段による電話の発信を指示するオンフックボタン部を備える。
【００３９】
第４の携帯端末は、電子メールの送信者名を表示する送信者名表示部と、電子メールの送信者の電子メールアドレスを表示する送信者アドレス表示部と、前記送信者名表示部と送信者アドレス表示部を利用者による選択を指定した状態にする状態選択手段と、前記状態選択手段により、前記送信者名表示部が選択されている場合に前記メール送信者通話手段による電話の発信を指示し、前記送信者アドレス表示部が選択されている場合に前記電子メール返信手段による電子メールの返信を指示する決定ボタン部を備える。
【００４０】
第５の携帯端末は、前記送信者情報を、送信者の電子メールアドレスとする。
【００４１】
第６の携帯端末は、携帯電話機又は電話機能を内蔵する携帯情報端末における電子メールを管理する。
【００４２】
以上説明したようにこの電子メール管理システムとその管理方法及びその管理プログラムを記録した記録媒体によれば、通話機能と電子メール機能の相互の機能を融合させメール送信者宛に返信の電子メールの送信だけでなく、電話の発信を行うことができる。
【００４３】
また、１つのキーの押下のみで、メール送信者の電話番号を自動的に発信することが可能となり、電話番号を直接入力したり電話帳機能から検索する必要がない。このため、受信した電子メールの送信者に対する連絡が早急に必要な場合等の通話に対応することができる。
【００４４】
また、従来技術として、特開２００１−２６８２０６号公報がある（特許文献３参照。）。
【００４５】
これは、使用者が受信電子メール中から選択した任意の文字列を携帯電話装置に保有している電話帳情報から検索し、該当する電話帳情報に設定されている電話番号に対する発呼、電子メールアドレスへのメールの作成・送信、およびインターネット上の資源の閲覧を可能にする。
【００４６】
受信した電子メールの内容をディスプレイ７に表示する。使用者が、表示された電子メール中から文字列を選択し、さらに電話帳情報検索指令を入力すると、選択された文字列を電話帳情報蓄積部から検索し、照合した情報をディスプレイに表示する。表示された電話番号、電子メールアドレス、およびインターネット上の資源を閲覧するためのアドレスの中から、使用者が所望する接続情報を選択すると、その情報を基に電話番号に対する発呼、電子メールアドレスへのメールの作成・送信、またはインターネット上の資源の閲覧を行う。
【００４７】
この携帯無線電話装置は、有線電話回線に接続される交換局に有線接続される複数の無線基地局と無線チャネルにより通信を行い、音声通話、電子メールの送受信、およびインターネット上の資源の閲覧を行うことができ、かつ電話帳機能を有する携帯無線電話装置において、表示部に表示中の受信電子メールの文字データの中から選択された任意の文字列を電話帳情報蓄積部に登録する電話帳情報登録手段と、前記表示部に表示中の受信電子メールの文字データの中から選択された任意の文字列を電話帳情報蓄積部から検索する電話帳情報検索手段と、前記検索の結果照合された文字列に関連する接続情報の中から選択された発信先に対して発信を行う発信手段とを備える。
【００４８】
この構成により、受信電子メール中の任意の文字列を使用者に選択させ、その文字列を電話帳情報蓄積部から検索し、照合された文字列に関連する接続情報を使用者に選択させ、所望の発信操作を行うことが可能となる。
【００４９】
また、電話帳情報登録手段は、選択された文字列が電話帳情報のどの項目に該当するのかを判定し、該当する項目に登録することを特徴とする。
【００５０】
この構成により、受信電子メールから選択された文字列が、電話番号、電子メールアドレス、インターネット上の資源に接続するためのアドレスか、あるいはそれ以外の文字列かを判定し、電話帳情報の該当する項目に設定することが可能となる。
【００５１】
さらに、電話帳情報登録手段は、電話番号、電子メールアドレス、インターネット上の資源を閲覧するためのアドレス、およびそれ以外の任意の文字列を１件の電話帳情報として関連付けて管理する。
【００５２】
この構成により、使用者が、受信電子メール内の任意の文字列から、所望する接続情報を検索することが可能であり、文字列に該当する電話帳情報の設定内容を修正することが可能となる。
【００５３】
そして、検索の結果照合された文字列に関連する接続情報の中から選択された電子メールアドレスに対して発信手段により発信を行う。
【００５４】
この構成により、受信電子メール中の任意の文字列を使用者に選択させ、その文字列を電話帳情報蓄積部から検索し、照合された文字列に関連する接続情報の中から電子メールアドレスを使用者に選択させ、電子メールの送信を行うことが可能となる。
【００５５】
また、検索の結果照合された文字列に関連する接続情報の中から選択されたインターネット上の資源を閲覧するためのアドレスに対して発信手段により発信を行う。
【００５６】
この構成により、受信電子メール中の任意の文字列を使用者に選択させ、その文字列を電話帳情報蓄積部から検索し、照合された文字列に関連する接続情報の中からインターネット上の資源を閲覧するためのアドレスを使用者に選択させ、インターネット上の資源を閲覧することが可能となる。
【００５７】
そして、検索の結果照合された文字列に関連する接続情報の中から選択された電話番号に対して発信手段により発信を行う。
【００５８】
この構成により、受信電子メール中の任意の文字列を使用者に選択させ、その文字列を電話帳情報蓄積部から検索し、照合された文字列に関連する接続情報の中から電話番号を使用者に選択させ、発呼することが可能となる。
【００５９】
以上説明したように、これは、表示部に表示中の受信電子メールの文字データの中から選択された任意の文字列を電話帳情報蓄積部に登録する電話帳情報登録手段と、前記表示部に表示中の受信電子メールの文字データの中から選択された任意の文字列を電話帳情報蓄積部から検索する電話帳情報検索手段と、前記検索の結果照合された文字列に関連する接続情報の中から選択された発信先に対して発信を行う発信手段とを備えたことことにより、使用者が電子メール内の任意の文字列を選択し、その文字列に関連する、電話番号、メールアドレス、インターネット上の資源を閲覧するためのアドレス等の発信先情報の入力操作をすることなく、音声通話や、データ送受信を行うことができる携帯無線電話装置を提供できるものである。
【００６０】
また、従来技術として、特開２００２−１１１８４８号公報がある（特許文献４参照。）。
【００６１】
これは、電話操作を行っている場合でも、電子メールアドレスの登録の有無を容易に確認できる通信端末装置および電話番号表示方法である。
【００６２】
第１の通信端末装置は、メモリダイヤルする際、登録された複数の発呼先名称を同時に表示し、所定の発呼操作によって選択された発呼先名称に対応する電話番号へ発呼可能な通信端末装置において、表示された前記複数の発呼先名称の中から所望の発呼先名称を選択する発呼先選択手段と、前記発呼先選択手段によって選択された発呼先名称を表示している時間を計測する計測手段と、前記計測手段が計測した時間が所定時間に達した場合、選択されている発呼先名称に対応する複数の電話番号および電子メールアドレスを表示する第１表示手段と、前記第１表示手段が複数の電話番号および電子メールアドレスを表示している際に、所定の発呼操作が行われた場合、前記複数の電話番号だけを表示する第２表示手段と、前記第２表示手段が表示している複数の電話番号の内、所望の１つの電話番号を選択する電話番号選択手段と、前記電話番号選択手段が選択した電話番号へ発呼する発呼手段とを具備する。
【００６３】
第２の通信端末装置は、第１の通信端末装置において、前記第１表示手段は、登録された複数の発呼先名称を同時に表示している表示画面の一部にウインドウをポップアップさせて形成し、前記ウインドウの中に選択されている発呼先名称に対応する複数の電話番号および電子メールアドレスを表示する。
【００６４】
第１の電話番号表示方法は、メモリダイヤルする際、登録された複数の発呼先名称を同時に表示し、所定の発呼操作によって選択された発呼先名称に対応する電話番号へ発呼可能な通信端末装置の電話番号表示方法において、表示された前記複数の発呼先名称の中から所望の発呼先名称を選択する第１ステップと、前記第１ステップによって選択された発呼先名称を表示している時間を計測する第２ステップと、前記第２ステップが計測した時間が所定時間に達した場合、選択されている発呼先名称に対応する複数の電話番号および電子メールアドレスを表示する第３ステップと、前記第３ステップが複数の電話番号および電子メールアドレスを表示している際に、所定の発呼操作が行われた場合、前記複数の電話番号だけを表示する第４ステップと、前記第４ステップが表示している複数の電話番号の内、所望の１つの電話番号を選択する第５ステップと、前記第５ステップが選択した電話番号へ発呼する第６ステップとを含む。
【００６５】
第２の電話番号表示方法は、第１の電話番号表示方法において、前記第３ステップは、登録された複数の発呼先名称を同時に表示している表示画面の一部にウインドウをポップアップさせて形成し、前記ウインドウの中に選択されている発呼先名称に対応する複数の電話番号および電子メールアドレスを表示する第７ステップを含む。
【００６６】
以上説明した様に、この通信端末装置および電話番号表示方法によれば、電話帳検索画面などで発呼先を選択している状態が所定時間（例えば、２秒）だけ経過すると、自動的に当該発呼先のメモリダイヤルおよびＥ−ＭＡＩＬの登録内容を読み出し、メイン画面にウインドウをポップアップ表示するので、電話発呼操作を行っている場合でも、電子メールアドレスの登録の有無を容易に確認でき、また引き続いてダイヤルすることが可能となる。
【００６７】
また、従来技術として、特開２００２−１５２４１１号公報がある（特許文献５参照。）。
【００６８】
これは、発信者の電話番号を検索を容易にし、緊急な返信を要する場合にも即座に対応する。
【００６９】
無線部を通して音声によるデータを処理する音声発着信制御部と、無線部を通して文字によるメールデータを処理するメール機能制御部と、宛先名と電話番号とメールアドレスとのデータを記憶するメモリと、このメモリに対しデータの書き込みまたは読み出しを行うメモリダイヤル制御部と、メモリのデータ及び各種の情報を表示する表示部と、複数のキースイッチにより各種の操作入力を行う操作部とを有し、操作部６の特定スイッチが押下されたとき音声発信制御部、メール機能制御部およびメモリダイヤル制御部を制御して着信した発信者へのコールバックを行う制御部とを有する。
【００７０】
この携帯電話によるコールバック方法は、着信毎に発信者の電話番号を記憶する記憶手段と、前記発信者との通話終了後に押下する返信用の特定スイッチと、発信する宛先名に対応する電話番号を予めメモリに記憶させる登録手段と、前記発信者の電話番号と前記メモリに記憶の電話番号とを照合する照合手段と、一致した前記照合の電話番号を前記特定スイッチの押下により発呼する発信手段とを有する。
【００７１】
また、この携帯電話によるコールバック方法は、着信毎に発信者のメールアドレスを記憶する記憶手段と、発信する宛先名に対応した電話番号とメールアドレスとを一対として予めメモリに記憶させる登録手段と、前記発信者のメールアドレスと前記登録手段のメモリに記憶されたメールアドレスとを照合する照合手段と、一致した前記照合のメールアドレスの電話番号を前記特定スイッチの押下により発呼する発信手段とを有する。
【００７２】
また、この携帯電話によるコールバック方法、前記照合手段で一致したメモリに記憶の宛先名と電話番号とメールアドレスとを同一画面に表示する表示手段と、前記特定スイッチの押下により前記表示手段に表示された電話番号を発呼するメモリダイヤル手段とを有する。
【００７３】
また、この携帯電話によるコールバック方法は、着信した発信者の電話番号と前記登録手段に記憶された電話番号とが不一致の場合に前記表示手段の画面にコールバック不可を示すエラー表示手段を有する。
【００７４】
また、この携帯電話によるコールバック方法は、送受信アンテナを通して無線電波を変復調して送受信する無線部と、この無線部を通して音声によるデータを処理する音声発着信制御部と、前記無線部を通して文字によるメールデータを処理するメール機能制御部と、前記宛先名と電話番号とメールアドレスとのデータを記憶するメモリと、このメモリに対しデータの書き込みまたは読み出しを行うメモリダイヤル制御部と、前記データ及び各種の情報を表示する表示部と、複数のキースイッチにより各種の操作入力を行う操作部とを有する。
【００７５】
また、この携帯電話によるコールバック方法は、前記操作部の特定スイッチが押下されたとき前記音声発着信制御部、前記メール機能制御部およびメモリダイヤル制御部を制御して着信した発信者へのコールバックを行う制御部とを有する。
【００７６】
以上説明したように、着信時に発信元に対してダイヤル発信にてコールバックする場合に、メール発信者の電話番号を検索する煩わしさから解放される。また、メール発信者へ緊急な返信を要する場合にも即座に対応することができる。これは、簡単な操作にて発信者番号を取得出来るためである。
【００７７】
また、従来技術として、特開２００２−１７１３１７号公報がある（特許文献６参照。）。
【００７８】
これは、二つの機能を並行して実行することが可能な携帯型電話機を提供する。
【００７９】
メール作成の操作中に着信があっても二つのディスプレイにそれぞれ異なる内容の表示をさせることにより、ユーザーは通話をしながら、引き続きメール作成操作を継続し、通話終了後作成したメールをすぐに送信することができる。
【００８０】
二つの同程度のサイズの表示用ディスプレイと、前記表示用ディスプレイのそれぞれに、異なる表示処理を割当てる割当て手段と、を備える。上記二つの表示用ディスプレイは並んで配置されることでもよい。
【００８１】
前記割当て手段は、一のディスプレイに待ち受け中又は通話中を示す表示処理を割当て、他のディスプレイにユーザ操作に応じた他の表示処理を割当てる。
【００８２】
前記割当て手段は、前記他の表示処理として、メールに関する表示処理又はゲームに関する表示処理を割当てることでもよい。
【００８３】
前記表示割当て手段は、ディスプレイ表示を伴う複数の表示処理からユーザー操作に応じて表示処理を選択する選択部と、ディスプレイに対する表示処理の割当状態に応じて、選択された表示処理をディスプレイに割当てる割当部とを備える。
【００８４】
前記割当部は、一のディスプレイに待ち受け中又は通話中を示す表示処理を割当て、他のディスプレイが未割当てである場合に前記選択部により選択された表示処理を割当てることでもよい。
【００８５】
前記選択部は、メールに関する表示処理又はゲームに関する表示処理を割当てる。
【００８６】
このように、二つの同程度のサイズの表示用ディスプレイと、前記表示用ディスプレイのそれぞれに、異なる表示処理を割当てる割当て手段と、を備える。この構成によりユーザーは二つの機能を並行しながら継続することができる。
【００８７】
また、前記割当て手段は、一のディスプレイに待ち受け中又は通話中を示す表示処理を割当て、他のディスプレイにユーザ操作に応じた他の表示処理を割当てる。
【００８８】
前記割当て手段は、前記他の表示処理として、メールに関する表示処理又はゲームに関する表示処理を割当てることを特徴とする。この構成によりユーザーは通話しながらメール作成やゲームを行うことができる。
【００８９】
またユーザーは通話終了後すぐに通話中に作成したメールを送信することができる。また、前記表示割当て手段は、ディスプレイ表示を伴う複数の表示処理からユーザー操作に応じて表示処理を選択する選択部と、ディスプレイに対する表示処理の割当状態に応じて、選択された表示処理をディスプレイに割当てる割当部とを備える。この構成により、ユーザーは必要に応じて並行して行う機能を選択することができる。
【００９０】
【特許文献１】
特開２００１−１５４９４７号公報（段落［０００４］，［０００５］，および［００１６］）
【特許文献２】
特開２００１−１８９８０９号公報（段落［０００８］〜［００２７］，［００５９］，および［００６０］）
【特許文献３】
特開２００１−２６８２０６号公報（段落［０００５］〜［００１０］，および［００４２］）
【特許文献４】
特開２００２−１１１８４８号公報（段落［０００６］〜［０００９］，および［００６７］）
【特許文献５】
特開２００２−１５２４１１号公報（段落［０００５］〜［００１０］，および［００１７］）
【特許文献６】
特開２００２−１７１３１７号公報（段落［０００５］〜［０００７］，［００２３］，および［００２４］）
【００９１】
【発明が解決しようとする課題】
上述した従来の通信端末および通信端末の電子メール検索方法は、
第１の問題点は、音声通話中に、携帯電話機に格納された通話中の相手に関する電子メール等の情報を参照する場合、
（１）通話中に電話帳機能を起動するためのキーを入力する。
【００９２】
（２）電話帳機能起動後、通話相手の名前もしくは電話番号を入力して、電話帳を検索し、通話相手のメールアドレスを確認する。
【００９３】
（３）電話帳機能を終了し、メール機能を起動するためのキーを入力する。
【００９４】
（４）先ほど確認したメールアドレスを検索キーとして、携帯電話機内に保存された送信メール及び受信メールを検索する。
【００９５】
といった煩雑な操作を数多く通話しながら行なう必要がある。
【００９６】
その理由は、通話中の電話番号から携帯電話機内に保存された送信メール及び受信メール抽出までの一連した連繋抽出手段がないからである。
【００９７】
本発明の目的は、携帯電話機に格納された多数の電子メールの中から、現在音声通話中の相手とのやりとりを行なったメールのみを、簡便な操作で利用者が参照することを可能とする通信端末および通信端末の電子メール検索方法を提供することにある。
【００９８】
【課題を解決するための手段】
第１の発明の通信端末は、利用者が音声による通信を行なうための音声通信手段と、電子メールの閲覧・編集・送受信を行なうためのメール通信手段と、音声通信手段とメール通信手段とが表示する２種類の画面を管理し、適宜画面表示を切り換える機能を提供する画面表示切換手段と、電話番号から電話帳データを検索する電話帳検索手段と、メールアドレスから送受信したメールを検索するメール検索手段と、電話の発信先電話番号／発信元電話番号を記録する発着信履歴データベースと、電話帳データを格納する電話帳データベースと、メールを格納するメールデータベースと、各手段の実行をハードウェアによる割り込み及び各手段間のメッセージ送受信に従って切り替えることができるオペレーティングシステムの一部機能のタスク実行管理手段と、を備え、発信の場合は、利用者が発信先電話番号を入力し、発信処理を行い、発信後、発着信履歴データベースに対して発信先電話番号の登録を行ない、発着信履歴書き込み後、通話処理に移行し、着信の場合は、通信網から通知された発信元電話番号を取得し、着信があることを画面表示し、接続後、発着信履歴データベースに対して発信元電話番号の登録を行ない、発着信履歴書き込み後、通話処理に移行し、音声通話中に利用者により、あらかじめ定められたキーの押下により、通話相手先の電話番号から、通話相手とやりとりし携帯電話機に格納された多数の電子メールの中から、現在音声通話中の相手とのやりとりを行なったメールのみを抽出し表示する。
【００９９】
また、第２の発明の通信端末は、利用者が音声による通信を行なうための音声通信手段と、電子メールの閲覧・編集・送受信を行なうためのメール通信手段と、音声通信手段とメール通信手段とが表示する２種類の画面を管理し、適宜画面表示を切り換える機能を提供する画面表示切換手段と、電話番号から電話帳データを検索する電話帳検索手段と、メールアドレスから送受信したメールを検索するメール検索手段と、電話の発信先電話番号／発信元電話番号を記録する発着信履歴データベースと、電話帳データを格納する電話帳データベースと、メールを格納するメールデータベースと、各手段の実行をハードウェアによる割り込み及び各手段間のメッセージ送受信に従って切り替えることができるオペレーティングシステムの一部機能のタスク実行管理手段と、を備え、発信の場合は、利用者が発信先電話番号を入力し、発信処理を行い、発信後、発着信履歴データベースに対して発信先電話番号の登録を行ない、発着信履歴書き込み後、通話処理に移行し、着信の場合は、通信網から通知された発信元電話番号を取得し、着信があることを画面表示し、接続後、発着信履歴データベースに対して発信元電話番号の登録を行ない、発着信履歴書き込み後、通話処理に移行し、音声通話中に利用者により、あらかじめ定められたキーの押下により、音声通信手段は、発着信履歴データベースに現在の通話が発信接続であれば発信時の履歴情報として、また着信接続であれば着信時の履歴情報として通話中の通話相手の電話番号を読み出し、電話帳検索手段により読み出した通話相手の電話番号をもとに電話帳データベースを検索し、検索された電話帳データベースの電話帳からメールアドレスを読み出し、画面表示切換手段を通じて、メール通信手段を呼び出し、メール操作画面を表示する。
【０１００】
また、第３の発明の通信端末は、利用者が音声による通信を行なうための音声通信手段と、電子メールの閲覧・編集・送受信を行なうためのメール通信手段と、音声通信手段とメール通信手段とが表示する２種類の画面を管理し、適宜画面表示を切り換える機能を提供する画面表示切換手段と、電話番号から電話帳データを検索する電話帳検索手段と、メールアドレスから送受信したメールを検索するメール検索手段と、電話の発信先電話番号／発信元電話番号を記録する発着信履歴データベースと、電話帳データを格納する電話帳データベースと、メールを格納するメールデータベースと、各手段の実行をハードウェアによる割り込み及び各手段間のメッセージ送受信に従って切り替えることができるオペレーティングシステムの一部機能のタスク実行管理手段と、を備え、発信の場合は、利用者が発信先電話番号を入力し、発信処理を行い、発信後、発着信履歴データベースに対して発信先電話番号の登録を行ない、発着信履歴書き込み後、通話処理に移行し、着信の場合は、通信網から通知された発信元電話番号を取得し、着信があることを画面表示し、接続後、発着信履歴データベースに対して発信元電話番号の登録を行ない、発着信履歴書き込み後、通話処理に移行し、音声通話中に利用者により、あらかじめ定められたキーの押下により、音声通信手段は、発着信履歴データベースに現在の通話が発信接続であれば発信時の履歴情報として、また着信接続であれば着信時の履歴情報として通話中の通話相手の電話番号を読み出し、電話帳検索手段により読み出した通話相手の電話番号をもとに電話帳データベースを検索し、検索された電話帳データベースの電話帳からメールアドレスを読み出し、画面表示切換手段を通じて、メール通信手段を呼び出し、メール操作画面を表示し、音声通信手段は、呼び出したメール通信手段に対して読み出したメールアドレスを通知し、通話処理継続により音声通信を継続する。
【０１０１】
また、第４の発明の通信端末は、利用者が音声による通信を行なうための音声通信手段と、電子メールの閲覧・編集・送受信を行なうためのメール通信手段と、音声通信手段とメール通信手段とが表示する２種類の画面を管理し、適宜画面表示を切り換える機能を提供する画面表示切換手段と、電話番号から電話帳データを検索する電話帳検索手段と、メールアドレスから送受信したメールを検索するメール検索手段と、電話の発信先電話番号／発信元電話番号を記録する発着信履歴データベースと、電話帳データを格納する電話帳データベースと、メールを格納するメールデータベースと、各手段の実行をハードウェアによる割り込み及び各手段間のメッセージ送受信に従って切り替えることができるオペレーティングシステムの一部機能のタスク実行管理手段と、を備え、発信の場合は、利用者が発信先電話番号を入力し、発信処理を行い、発信後、発着信履歴データベースに対して発信先電話番号の登録を行ない、発着信履歴書き込み後、通話処理に移行し、着信の場合は、通信網から通知された発信元電話番号を取得し、着信があることを画面表示し、接続後、発着信履歴データベースに対して発信元電話番号の登録を行ない、発着信履歴書き込み後、通話処理に移行し、音声通話中に利用者により、あらかじめ定められたキーの押下により、音声通信手段は、発着信履歴データベースに現在の通話が発信接続であれば発信時の履歴情報として、また着信接続であれば着信時の履歴情報として通話中の通話相手の電話番号を読み出し、電話帳検索手段により、検索キーとして電話番号を取得し、電話帳データベースに格納された電話帳データを１件ずつ読み出し、読み出した電話帳データに格納された複数の電話番号のいずれかが検索キーの電話番号に一致した場合は、その電話帳データを検索結果として音声通信手段に対して出力し、一致しなければ次のレコードを読み出し、同じ処理を繰り返し、全レコードを参照しても、検索キーに一致する電話番号がなかった場合は、音声通信手段に対して、”該当レコード無し”の情報を通知し、メール通信手段は、音声通信手段よりメールアドレスを受信し、受信したメールアドレスにより、メール検索手段を使用してメールの検索を行ない、メール検索手段は、指定されたメールアドレスを、メールの宛先または発信元に含むメールを全て検索し、メール通信手段に通知し、メール通信手段は、検索されたメールを一覧の形で画面表示を行ない、利用者は音声通話を継続し、メールが表示される。
【０１０２】
また、第５の発明の通信端末は、利用者が音声による通信を行なうための音声通信手段と、電子メールの閲覧・編集・送受信を行なうためのメール通信手段と、音声通信手段とメール通信手段とが表示する２種類の画面を管理し、適宜画面表示を切り換える機能を提供する画面表示切換手段と、電話番号から電話帳データを検索する電話帳検索手段と、メールアドレスから送受信したメールを検索するメール検索手段と、電話の発信先電話番号／発信元電話番号を記録する発着信履歴データベースと、電話帳データを格納する電話帳データベースと、メールを格納するメールデータベースと、各手段の実行をハードウェアによる割り込み及び各手段間のメッセージ送受信に従って切り替えることができるオペレーティングシステムの一部機能のタスク実行管理手段と、を備え、発信の場合は、利用者が発信先電話番号を入力し、発信処理を行い、発信後、発着信履歴データベースに対して発信先電話番号の登録を行ない、発着信履歴書き込み後、通話処理に移行し、着信の場合は、通信網から通知された発信元電話番号を取得し、着信があることを画面表示し、接続後、発着信履歴データベースに対して発信元電話番号の登録を行ない、発着信履歴書き込み後、通話処理に移行し、音声通話中に利用者により、あらかじめ定められたキーの押下により、音声通信手段は、発着信履歴データベースに現在の通話が発信接続であれば発信時の履歴情報として、また着信接続であれば着信時の履歴情報として通話中の通話相手の電話番号を読み出し、電話帳検索手段により、検索キーとして電話番号を取得し、電話帳データベースに格納された電話帳データを１件ずつ読み出し、読み出した電話帳データに格納された複数の電話番号のいずれかが検索キーの電話番号に一致した場合は、その電話帳データを検索結果として音声通信手段に対して出力し、一致しなければ次のレコードを読み出し、同じ処理を繰り返し、全レコードを参照しても、検索キーに一致する電話番号がなかった場合は、音声通信手段に対して、”該当レコード無し”の情報を通知し、メール通信手段は、音声通信手段よりメールアドレスを受信し、受信したメールアドレスにより、メール検索手段を使用してメールの検索を行ない、メール検索手段は、検索キーとして、メールアドレスを取得し、メールデータベースに格納されたメールデータを１件ずつ読み出し、読み出したメールデータに格納された宛先もしくは発信元が、検索キーとして指定されたいずれかのメールアドレスに一致した場合は、メールデータを検索結果としてメール通信手段に出力し、一致しなければ次のレコードを読み出し、同じ処理を繰り返し、全レコードを参照しても、検索キーに一致するメールアドレスがなかった場合は、メール通信手段に対して”該当レコード無し”の情報を通知し、画面表示切換手段は、音声通信手段が表示装置に表示する画面表示内容と、メール通信手段が表示する画面表示内容の２つの内容を画面表示情報として保持し、現在、表示装置上に表示する画面は音声通信手段かメール通信手段の区別を現在の有効画面として保持し、実際に表示装置上に表示する表示内容は、画面バッファに格納され、定期的かあるいは画面バッファの内容が更新されると、画面表示切替手段は表示装置に画面バッファの内容を転送し、表示画面が更新され、画面表示情報に格納された２つの画面情報は、画面セレクタを介して画面バッファに転送され、画面セレクタは現在の有効画面の情報に従い、音声通信手段画面情報かメール通信手段画面情報のいずれか一方を常に画面バッファに転送し、現在の有効画面の情報を書き換えることで、表示装置に表示する画面内容を、音声通信手段かメール通信手段かのいずれかに随時切り替える。
【０１０３】
また、第６の発明の通信端末の電子メール検索方法は、利用者が音声による通信を行なうための音声通信手段と、電子メールの閲覧・編集・送受信を行なうためのメール通信手段と、音声通信手段とメール通信手段とが表示する２種類の画面を管理し、適宜画面表示を切り換える機能を提供する画面表示切換手段と、電話番号から電話帳データを検索する電話帳検索手段と、メールアドレスから送受信したメールを検索するメール検索手段と、電話の発信先電話番号／発信元電話番号を記録する発着信履歴データベースと、電話帳データを格納する電話帳データベースと、メールを格納するメールデータベースと、各手段の実行をハードウェアによる割り込み及び各手段間のメッセージ送受信に従って切り替えることができるオペレーティングシステムの一部機能のタスク実行管理手段と、を備える通信端末における電子メール検索方法であって、発信の場合は、利用者が発信先電話番号を入力し、発信処理を行い、発信後、発着信履歴データベースに対して発信先電話番号の登録を行ない、発着信履歴書き込み後、通話処理に移行し、着信の場合は、通信網から通知された発信元電話番号を取得し、着信があることを画面表示し、接続後、発着信履歴データベースに対して発信元電話番号の登録を行ない、発着信履歴書き込み後、通話処理に移行し、音声通話中に利用者により、あらかじめ定められたキーの押下により、通話相手先の電話番号から、通話相手とやりとりし携帯電話機に格納された多数の電子メールの中から、現在音声通話中の相手とのやりとりを行なったメールのみを抽出し表示する。
【０１０４】
また、第７の発明の通信端末の電子メール検索方法は、利用者が音声による通信を行なうための音声通信手段と、電子メールの閲覧・編集・送受信を行なうためのメール通信手段と、音声通信手段とメール通信手段とが表示する２種類の画面を管理し、適宜画面表示を切り換える機能を提供する画面表示切換手段と、電話番号から電話帳データを検索する電話帳検索手段と、メールアドレスから送受信したメールを検索するメール検索手段と、電話の発信先電話番号／発信元電話番号を記録する発着信履歴データベースと、電話帳データを格納する電話帳データベースと、メールを格納するメールデータベースと、各手段の実行をハードウェアによる割り込み及び各手段間のメッセージ送受信に従って切り替えることができるオペレーティングシステムの一部機能のタスク実行管理手段と、を備える通信端末における電子メール検索方法であって、発信の場合は、利用者が発信先電話番号を入力し、発信処理を行い、発信後、発着信履歴データベースに対して発信先電話番号の登録を行ない、発着信履歴書き込み後、通話処理に移行し、着信の場合は、通信網から通知された発信元電話番号を取得し、着信があることを画面表示し、接続後、発着信履歴データベースに対して発信元電話番号の登録を行ない、発着信履歴書き込み後、通話処理に移行し、音声通話中に利用者により、あらかじめ定められたキーの押下により、音声通信手段は、発着信履歴データベースに現在の通話が発信接続であれば発信時の履歴情報として、また着信接続であれば着信時の履歴情報として通話中の通話相手の電話番号を読み出し、電話帳検索手段により読み出した通話相手の電話番号をもとに電話帳データベースを検索し、検索された電話帳データベースの電話帳からメールアドレスを読み出し、画面表示切換手段を通じて、メール通信手段を呼び出し、メール操作画面を表示する。
【０１０５】
また、第８の発明の通信端末の電子メール検索方法は、利用者が音声による通信を行なうための音声通信手段と、電子メールの閲覧・編集・送受信を行なうためのメール通信手段と、音声通信手段とメール通信手段とが表示する２種類の画面を管理し、適宜画面表示を切り換える機能を提供する画面表示切換手段と、電話番号から電話帳データを検索する電話帳検索手段と、メールアドレスから送受信したメールを検索するメール検索手段と、電話の発信先電話番号／発信元電話番号を記録する発着信履歴データベースと、電話帳データを格納する電話帳データベースと、メールを格納するメールデータベースと、各手段の実行をハードウェアによる割り込み及び各手段間のメッセージ送受信に従って切り替えることができるオペレーティングシステムの一部機能のタスク実行管理手段と、を備える通信端末における電子メール検索方法であって、発信の場合は、利用者が発信先電話番号を入力し、発信処理を行い、発信後、発着信履歴データベースに対して発信先電話番号の登録を行ない、発着信履歴書き込み後、通話処理に移行し、着信の場合は、通信網から通知された発信元電話番号を取得し、着信があることを画面表示し、接続後、発着信履歴データベースに対して発信元電話番号の登録を行ない、発着信履歴書き込み後、通話処理に移行し、音声通話中に利用者により、あらかじめ定められたキーの押下により、音声通信手段は、発着信履歴データベースに現在の通話が発信接続であれば発信時の履歴情報として、また着信接続であれば着信時の履歴情報として通話中の通話相手の電話番号を読み出し、電話帳検索手段により読み出した通話相手の電話番号をもとに電話帳データベースを検索し、検索された電話帳データベースの電話帳からメールアドレスを読み出し、画面表示切換手段を通じて、メール通信手段を呼び出し、メール操作画面を表示し、音声通信手段は、呼び出したメール通信手段に対して読み出したメールアドレスを通知し、通話処理継続により音声通信を継続する。
【０１０６】
また、第９の発明の通信端末の電子メール検索方法は、利用者が音声による通信を行なうための音声通信手段と、電子メールの閲覧・編集・送受信を行なうためのメール通信手段と、音声通信手段とメール通信手段とが表示する２種類の画面を管理し、適宜画面表示を切り換える機能を提供する画面表示切換手段と、電話番号から電話帳データを検索する電話帳検索手段と、メールアドレスから送受信したメールを検索するメール検索手段と、電話の発信先電話番号／発信元電話番号を記録する発着信履歴データベースと、電話帳データを格納する電話帳データベースと、メールを格納するメールデータベースと、各手段の実行をハードウェアによる割り込み及び各手段間のメッセージ送受信に従って切り替えることができるオペレーティングシステムの一部機能のタスク実行管理手段と、を備える通信端末における電子メール検索方法であって、発信の場合は、利用者が発信先電話番号を入力し、発信処理を行い、発信後、発着信履歴データベースに対して発信先電話番号の登録を行ない、発着信履歴書き込み後、通話処理に移行し、着信の場合は、通信網から通知された発信元電話番号を取得し、着信があることを画面表示し、接続後、発着信履歴データベースに対して発信元電話番号の登録を行ない、発着信履歴書き込み後、通話処理に移行し、音声通話中に利用者により、あらかじめ定められたキーの押下により、音声通信手段は、発着信履歴データベースに現在の通話が発信接続であれば発信時の履歴情報として、また着信接続であれば着信時の履歴情報として通話中の通話相手の電話番号を読み出し、電話帳検索手段により、検索キーとして電話番号を取得し、電話帳データベースに格納された電話帳データを１件ずつ読み出し、読み出した電話帳データに格納された複数の電話番号のいずれかが検索キーの電話番号に一致した場合は、その電話帳データを検索結果として音声通信手段に対して出力し、一致しなければ次のレコードを読み出し、同じ処理を繰り返し、全レコードを参照しても、検索キーに一致する電話番号がなかった場合は、音声通信手段に対して、”該当レコード無し”の情報を通知し、メール通信手段は、音声通信手段よりメールアドレスを受信し、受信したメールアドレスにより、メール検索手段を使用してメールの検索を行ない、メール検索手段は、指定されたメールアドレスを、メールの宛先または発信元に含むメールを全て検索し、メール通信手段に通知し、メール通信手段は、検索されたメールを一覧の形で画面表示を行ない、利用者は音声通話を継続し、メールが表示される。
【０１０７】
また、第１０の発明の通信端末の電子メール検索方法は、利用者が音声による通信を行なうための音声通信手段と、電子メールの閲覧・編集・送受信を行なうためのメール通信手段と、音声通信手段とメール通信手段とが表示する２種類の画面を管理し、適宜画面表示を切り換える機能を提供する画面表示切換手段と、電話番号から電話帳データを検索する電話帳検索手段と、メールアドレスから送受信したメールを検索するメール検索手段と、電話の発信先電話番号／発信元電話番号を記録する発着信履歴データベースと、電話帳データを格納する電話帳データベースと、メールを格納するメールデータベースと、各手段の実行をハードウェアによる割り込み及び各手段間のメッセージ送受信に従って切り替えることができるオペレーティングシステムの一部機能のタスク実行管理手段と、を備える通信端末における電子メール検索方法であって、発信の場合は、利用者が発信先電話番号を入力し、発信処理を行い、発信後、発着信履歴データベースに対して発信先電話番号の登録を行ない、発着信履歴書き込み後、通話処理に移行し、着信の場合は、通信網から通知された発信元電話番号を取得し、着信があることを画面表示し、接続後、発着信履歴データベースに対して発信元電話番号の登録を行ない、発着信履歴書き込み後、通話処理に移行し、音声通話中に利用者により、あらかじめ定められたキーの押下により、音声通信手段は、発着信履歴データベースに現在の通話が発信接続であれば発信時の履歴情報として、また着信接続であれば着信時の履歴情報として通話中の通話相手の電話番号を読み出し、電話帳検索手段により、検索キーとして電話番号を取得し、電話帳データベースに格納された電話帳データを１件ずつ読み出し、読み出した電話帳データに格納された複数の電話番号のいずれかが検索キーの電話番号に一致した場合は、その電話帳データを検索結果として音声通信手段に対して出力し、一致しなければ次のレコードを読み出し、同じ処理を繰り返し、全レコードを参照しても、検索キーに一致する電話番号がなかった場合は、音声通信手段に対して、”該当レコード無し”の情報を通知し、メール通信手段は、音声通信手段よりメールアドレスを受信し、受信したメールアドレスにより、メール検索手段を使用してメールの検索を行ない、メール検索手段は、検索キーとして、メールアドレスを取得し、メールデータベースに格納されたメールデータを１件ずつ読み出し、読み出したメールデータに格納された宛先もしくは発信元が、検索キーとして指定されたいずれかのメールアドレスに一致した場合は、メールデータを検索結果としてメール通信手段に出力し、一致しなければ次のレコードを読み出し、同じ処理を繰り返し、全レコードを参照しても、検索キーに一致するメールアドレスがなかった場合は、メール通信手段に対して”該当レコード無し”の情報を通知し、画面表示切換手段は、音声通信手段が表示装置に表示する画面表示内容と、メール通信手段が表示する画面表示内容の２つの内容を画面表示情報として保持し、現在、表示装置上に表示する画面は音声通信手段かメール通信手段の区別を現在の有効画面として保持し、実際に表示装置上に表示する表示内容は、画面バッファに格納され、定期的かあるいは画面バッファの内容が更新されると、画面表示切替手段は表示装置に画面バッファの内容を転送し、表示画面が更新され、画面表示情報に格納された２つの画面情報は、画面セレクタを介して画面バッファに転送され、画面セレクタは現在の有効画面の情報に従い、音声通信手段画面情報かメール通信手段画面情報のいずれか一方を常に画面バッファに転送し、現在の有効画面の情報を書き換えることで、表示装置に表示する画面内容を、音声通信手段かメール通信手段かのいずれかに随時切り替える。
【０１０８】
また、第１１の発明のプログラムは、利用者が音声による通信を行なうための音声通信手段と、電子メールの閲覧・編集・送受信を行なうためのメール通信手段と、音声通信手段とメール通信手段とが表示する２種類の画面を管理し、適宜画面表示を切り換える機能を提供する画面表示切換手段と、電話番号から電話帳データを検索する電話帳検索手段と、メールアドレスから送受信したメールを検索するメール検索手段と、電話の発信先電話番号／発信元電話番号を記録する発着信履歴データベースと、電話帳データを格納する電話帳データベースと、メールを格納するメールデータベースと、各手段の実行をハードウェアによる割り込み及び各手段間のメッセージ送受信に従って切り替えることができるオペレーティングシステムの一部機能のタスク実行管理手段と、を備える通信端末における電子メール検索処理において、発信の場合は、利用者が発信先電話番号を入力し、発信処理を行い、発信後、発着信履歴データベースに対して発信先電話番号の登録を行ない、発着信履歴書き込み後、通話処理に移行し、着信の場合は、通信網から通知された発信元電話番号を取得し、着信があることを画面表示し、接続後、発着信履歴データベースに対して発信元電話番号の登録を行ない、発着信履歴書き込み後、通話処理に移行し、音声通話中に利用者により、あらかじめ定められたキーの押下により、通話相手先の電話番号から、通話相手とやりとりし携帯電話機に格納された多数の電子メールの中から、現在音声通話中の相手とのやりとりを行なったメールのみを抽出し表示する処理をコンピュータに実行させる。
【０１０９】
また、第１２の発明のプログラムは、利用者が音声による通信を行なうための音声通信手段と、電子メールの閲覧・編集・送受信を行なうためのメール通信手段と、音声通信手段とメール通信手段とが表示する２種類の画面を管理し、適宜画面表示を切り換える機能を提供する画面表示切換手段と、電話番号から電話帳データを検索する電話帳検索手段と、メールアドレスから送受信したメールを検索するメール検索手段と、電話の発信先電話番号／発信元電話番号を記録する発着信履歴データベースと、電話帳データを格納する電話帳データベースと、メールを格納するメールデータベースと、各手段の実行をハードウェアによる割り込み及び各手段間のメッセージ送受信に従って切り替えることができるオペレーティングシステムの一部機能のタスク実行管理手段と、を備える通信端末における電子メール検索処理において、発信の場合は、利用者が発信先電話番号を入力し、発信処理を行い、発信後、発着信履歴データベースに対して発信先電話番号の登録を行ない、発着信履歴書き込み後、通話処理に移行し、着信の場合は、通信網から通知された発信元電話番号を取得し、着信があることを画面表示し、接続後、発着信履歴データベースに対して発信元電話番号の登録を行ない、発着信履歴書き込み後、通話処理に移行し、音声通話中に利用者により、あらかじめ定められたキーの押下により、音声通信手段は、発着信履歴データベースに現在の通話が発信接続であれば発信時の履歴情報として、また着信接続であれば着信時の履歴情報として通話中の通話相手の電話番号を読み出し、電話帳検索手段により読み出した通話相手の電話番号をもとに電話帳データベースを検索し、検索された電話帳データベースの電話帳からメールアドレスを読み出し、画面表示切換手段を通じて、メール通信手段を呼び出し、メール操作画面を表示する処理をコンピュータに実行させる。
【０１１０】
また、第１３の発明のプログラムは、利用者が音声による通信を行なうための音声通信手段と、電子メールの閲覧・編集・送受信を行なうためのメール通信手段と、音声通信手段とメール通信手段とが表示する２種類の画面を管理し、適宜画面表示を切り換える機能を提供する画面表示切換手段と、電話番号から電話帳データを検索する電話帳検索手段と、メールアドレスから送受信したメールを検索するメール検索手段と、電話の発信先電話番号／発信元電話番号を記録する発着信履歴データベースと、電話帳データを格納する電話帳データベースと、メールを格納するメールデータベースと、各手段の実行をハードウェアによる割り込み及び各手段間のメッセージ送受信に従って切り替えることができるオペレーティングシステムの一部機能のタスク実行管理手段と、を備える通信端末における電子メール検索処理において、発信の場合は、利用者が発信先電話番号を入力し、発信処理を行い、発信後、発着信履歴データベースに対して発信先電話番号の登録を行ない、発着信履歴書き込み後、通話処理に移行し、着信の場合は、通信網から通知された発信元電話番号を取得し、着信があることを画面表示し、接続後、発着信履歴データベースに対して発信元電話番号の登録を行ない、発着信履歴書き込み後、通話処理に移行し、音声通話中に利用者により、あらかじめ定められたキーの押下により、音声通信手段は、発着信履歴データベースに現在の通話が発信接続であれば発信時の履歴情報として、また着信接続であれば着信時の履歴情報として通話中の通話相手の電話番号を読み出し、電話帳検索手段により読み出した通話相手の電話番号をもとに電話帳データベースを検索し、検索された電話帳データベースの電話帳からメールアドレスを読み出し、画面表示切換手段を通じて、メール通信手段を呼び出し、メール操作画面を表示し、音声通信手段は、呼び出したメール通信手段に対して読み出したメールアドレスを通知し、通話処理継続により音声通信を継続する処理をコンピュータに実行させる。
【０１１１】
また、第１４の発明のプログラムは、利用者が音声による通信を行なうための音声通信手段と、電子メールの閲覧・編集・送受信を行なうためのメール通信手段と、音声通信手段とメール通信手段とが表示する２種類の画面を管理し、適宜画面表示を切り換える機能を提供する画面表示切換手段と、電話番号から電話帳データを検索する電話帳検索手段と、メールアドレスから送受信したメールを検索するメール検索手段と、電話の発信先電話番号／発信元電話番号を記録する発着信履歴データベースと、電話帳データを格納する電話帳データベースと、メールを格納するメールデータベースと、各手段の実行をハードウェアによる割り込み及び各手段間のメッセージ送受信に従って切り替えることができるオペレーティングシステムの一部機能のタスク実行管理手段と、を備える通信端末における電子メール検索処理において、発信の場合は、利用者が発信先電話番号を入力し、発信処理を行い、発信後、発着信履歴データベースに対して発信先電話番号の登録を行ない、発着信履歴書き込み後、通話処理に移行し、着信の場合は、通信網から通知された発信元電話番号を取得し、着信があることを画面表示し、接続後、発着信履歴データベースに対して発信元電話番号の登録を行ない、発着信履歴書き込み後、通話処理に移行し、音声通話中に利用者により、あらかじめ定められたキーの押下により、音声通信手段は、発着信履歴データベースに現在の通話が発信接続であれば発信時の履歴情報として、また着信接続であれば着信時の履歴情報として通話中の通話相手の電話番号を読み出し、電話帳検索手段により、検索キーとして電話番号を取得し、電話帳データベースに格納された電話帳データを１件ずつ読み出し、読み出した電話帳データに格納された複数の電話番号のいずれかが検索キーの電話番号に一致した場合は、その電話帳データを検索結果として音声通信手段に対して出力し、一致しなければ次のレコードを読み出し、同じ処理を繰り返し、全レコードを参照しても、検索キーに一致する電話番号がなかった場合は、音声通信手段に対して、”該当レコード無し”の情報を通知し、メール通信手段は、音声通信手段よりメールアドレスを受信し、受信したメールアドレスにより、メール検索手段を使用してメールの検索を行ない、メール検索手段は、指定されたメールアドレスを、メールの宛先または発信元に含むメールを全て検索し、メール通信手段に通知し、メール通信手段は、検索されたメールを一覧の形で画面表示を行ない、利用者は音声通話を継続し、メールが表示される処理をコンピュータに実行させる。
【０１１２】
また、第１５の発明のプログラムは、利用者が音声による通信を行なうための音声通信手段と、電子メールの閲覧・編集・送受信を行なうためのメール通信手段と、音声通信手段とメール通信手段とが表示する２種類の画面を管理し、適宜画面表示を切り換える機能を提供する画面表示切換手段と、電話番号から電話帳データを検索する電話帳検索手段と、メールアドレスから送受信したメールを検索するメール検索手段と、電話の発信先電話番号／発信元電話番号を記録する発着信履歴データベースと、電話帳データを格納する電話帳データベースと、メールを格納するメールデータベースと、各手段の実行をハードウェアによる割り込み及び各手段間のメッセージ送受信に従って切り替えることができるオペレーティングシステムの一部機能のタスク実行管理手段と、を備える通信端末における電子メール検索処理において、発信の場合は、利用者が発信先電話番号を入力し、発信処理を行い、発信後、発着信履歴データベースに対して発信先電話番号の登録を行ない、発着信履歴書き込み後、通話処理に移行し、着信の場合は、通信網から通知された発信元電話番号を取得し、着信があることを画面表示し、接続後、発着信履歴データベースに対して発信元電話番号の登録を行ない、発着信履歴書き込み後、通話処理に移行し、音声通話中に利用者により、あらかじめ定められたキーの押下により、音声通信手段は、発着信履歴データベースに現在の通話が発信接続であれば発信時の履歴情報として、また着信接続であれば着信時の履歴情報として通話中の通話相手の電話番号を読み出し、電話帳検索手段により、検索キーとして電話番号を取得し、電話帳データベースに格納された電話帳データを１件ずつ読み出し、読み出した電話帳データに格納された複数の電話番号のいずれかが検索キーの電話番号に一致した場合は、その電話帳データを検索結果として音声通信手段に対して出力し、一致しなければ次のレコードを読み出し、同じ処理を繰り返し、全レコードを参照しても、検索キーに一致する電話番号がなかった場合は、音声通信手段に対して、”該当レコード無し”の情報を通知し、メール通信手段は、音声通信手段よりメールアドレスを受信し、受信したメールアドレスにより、メール検索手段を使用してメールの検索を行ない、メール検索手段は、検索キーとして、メールアドレスを取得し、メールデータベースに格納されたメールデータを１件ずつ読み出し、読み出したメールデータに格納された宛先もしくは発信元が、検索キーとして指定されたいずれかのメールアドレスに一致した場合は、メールデータを検索結果としてメール通信手段に出力し、一致しなければ次のレコードを読み出し、同じ処理を繰り返し、全レコードを参照しても、検索キーに一致するメールアドレスがなかった場合は、メール通信手段に対して”該当レコード無し”の情報を通知し、画面表示切換手段は、音声通信手段が表示装置に表示する画面表示内容と、メール通信手段が表示する画面表示内容の２つの内容を画面表示情報として保持し、現在、表示装置上に表示する画面は音声通信手段かメール通信手段の区別を現在の有効画面として保持し、実際に表示装置上に表示する表示内容は、画面バッファに格納され、定期的かあるいは画面バッファの内容が更新されると、画面表示切替手段は表示装置に画面バッファの内容を転送し、表示画面が更新され、画面表示情報に格納された２つの画面情報は、画面セレクタを介して画面バッファに転送され、画面セレクタは現在の有効画面の情報に従い、音声通信手段画面情報かメール通信手段画面情報のいずれか一方を常に画面バッファに転送し、現在の有効画面の情報を書き換えることで、表示装置に表示する画面内容を、音声通信手段かメール通信手段かのいずれかに随時切り替える処理をコンピュータに実行させる。
【０１１３】
【発明の実施の形態】
次に、本発明の実施の形態について図面を参照して説明する。
【０１１４】
図１は本発明の通信端末および通信端末の電子メール検索方法の一実施の形態を示すブロック図である。
【０１１５】
図１を参照すると、利用者が音声による通信を行なうための音声通信手段１と、電子メールの閲覧・編集・送受信を行なうためのメール通信手段２と、音声通信手段１とメール通信手段２とが表示する２種類の画面を管理し、適宜画面表示を切り換える機能を提供する画面表示切換手段３と、電話番号から電話帳データを検索する電話帳検索手段４と、メールアドレスから送受信したメールを検索するメール検索手段５と、電話の発信先電話番号／発信元電話番号を記録する発着信履歴データベース６と、電話帳データを格納する電話帳データベース７と、メールを格納するメールデータベース８と、各手段の実行をハードウェアによる割り込み及び各手段間のメッセージ送受信などに従って切り替えることができるオペレーティングシステム（Ｏｐｅｒａｔｉｎｇ　Ｓｙｓｔｅｍ）の一部機能のタスク実行管理手段９とから構成される。
【０１１６】
次に、本発明の実施の形態の動作について、図１，図２，図３，図４，図５，図６，図７，図８，図９，図１０および図１１を参照して詳細に説明する。
【０１１７】
まず、音声通信中に、通信相手に関連するメールを表示する動作について説明する。
【０１１８】
図２は本発明の通信端末および通信端末の電子メール検索方法の発信時の音声通話開始時の動作を示す流れ図である。
【０１１９】
図３は本発明の通信端末および通信端末の電子メール検索方法の着信時の音声通話開始時の動作を示す流れ図である。
【０１２０】
図２及び図３は、音声通信手段１が音声通話開始時に、通話相手先の電話番号を発着信履歴データベース６に対して記録する手順を示している。
【０１２１】
発信の場合は、利用者が発信先電話番号を入力し（発信先電話番号入力ステップＳ２１）、発信処理を行う（発信ステップＳ２２）。
【０１２２】
発信後、発着信履歴データベース６に対して発信先電話番号の登録を行なう（発着信履歴書込みステップＳ２３）。
【０１２３】
発信に成功している場合（接続成功判定ステップＳ２４）は通話処理に移行する。
【０１２４】
着信の場合、通信網から通知された発信元電話番号を取得し（発信元電話番号取得ステップＳ３１）、着信があることを画面表示し（着信表示ステップＳ３２）、接続後、発着信履歴データベース６に対して発信元電話番号の登録を行なう（発着信履歴書込みステップＳ３３）。
発着信履歴書き込み後、接続に成功していれば（接続成功判定ステップＳ３４）、通話処理に移行する。
【０１２５】
図４は本発明の通信端末および通信端末の電子メール検索方法の発着信履歴データベースのデータ構成を示す構成図である。
【０１２６】
発着信履歴データベース６のデータ構造として、一つは発信時の履歴情報４１があり、発信先電話番号と、接続結果（正常接続，不在、拒否、中止，または転送など）を記録する。
【０１２７】
また、二つ目は着信時の履歴情報４２があり、発信元電話番号と接続結果（正常接続，拒否、または転送など）および発信元が発信元電話番号を通知してきたか否かの通知有無を記録する。
【０１２８】
図５は本発明の通信端末および通信端末の電子メール検索方法における音声通信手段の動作を示す流れ図である。
【０１２９】
音声通話中に利用者により、あらかじめ定められたキーの押下などにより、通話相手に関連するメールの自動検索を指示されると（メール読み出し指示検出ステップＳ５１）、音声通信手段１は、発着信履歴データベース６に現在の通話が発信接続であれば発信時の履歴情報４１として、また着信接続であれば着信時の履歴情報４２として最後に記録された通話相手の電話番号を読み出し、電話帳検索手段４により読み出した通話相手の電話番号をもとに電話帳データベース７を検索する（電話帳検索ステップＳ５２）。
【０１３０】
検索された電話帳データベース７の電話帳からメールアドレスを読み出し（メールアドレス読み出しステップＳ５３）、画面表示切換手段３を通じて、メール通信手段２を呼び出し、メール操作画面を表示する（メール機能呼出ステップＳ５４）。
【０１３１】
音声通信手段１は、呼び出したメール通信手段２に対してメールアドレス読み出しステップＳ５３で読み出したメールアドレスを通知し（メールアドレス通知ステップＳ５５）、自身は通話処理継続により音声通信を継続する。
【０１３２】
図６は本発明の通信端末および通信端末の電子メール検索方法の電話帳データベースに格納される電話帳のデータ構成をを示す構成図である。
【０１３３】
電話帳データベース７には氏名，複数の電話番号（図６では電話番号１〜３），複数の電子メールアドレス（図６ではメールアドレス１〜３）等を格納する。
【０１３４】
図７は本発明の通信端末および通信端末の電子メール検索方法の電話帳検索の動作を示す流れ図である。
【０１３５】
この電話帳検索の動作を示す流れ図は、電話帳検索手段４が、図５の電話帳検索ステップＳ５２において呼び出された場合の処理の流れ図を示している。
【０１３６】
まず検索キーとして電話番号を取得し（検索キー（電話番号）取得ステップＳ７１）、電話帳データベース７に格納された電話帳データを１件ずつ読み出す（電話帳レコード読み出しステップＳ７２）。
【０１３７】
読み出した電話帳データに格納された複数の電話番号のいずれかが検索キー（電話番号）に一致した場合（電話番号が一致ステップＳ７３〜電話番号が一致ステップＳ７５）は、その電話帳データを検索結果として音声通信手段１に対して出力する（電話帳レコード出力ステップＳ７８）。
【０１３８】
一致しなければ次のレコードを読み出し、同じ処理を繰り返す（全レコード終了ステップＳ７６）。
【０１３９】
全レコードを参照しても、検索キーに一致する電話番号がなかった場合は、音声通信手段１に対して、”該当レコード無し”の情報を通知する（該当レコード無しを出力ステップＳ７７）。
【０１４０】
図８は本発明の通信端末および通信端末の電子メール検索方法のメール通信手段の動作を示す流れ図である。
【０１４１】
このメール通信手段の動作を示す流れ図は、音声通信手段１によりメール通信手段２が呼び出された時のメール通信手段２の処理の流れ図を示している。
【０１４２】
メール通信手段２は、音声通信手段１よりメールアドレスを受信する（メールアドレス通知受信ステップＳ８１）。
【０１４３】
受信したメールアドレスにより、メール検索手段５を使用してメールの検索を行なう（メール検索ステップＳ８２）。
【０１４４】
メール検索手段５は、指定されたメールアドレスを、メールの宛先または発信元に含むメールを全て検索し、メール通信手段２に通知する。メール通信手段２は、検索されたメールを一覧の形で画面表示を行ない（検索結果一覧表示ステップＳ８３）、利用者は音声通話を継続しつつ、検索結果の閲覧開始で表示されたメールの閲覧が可能となる。
【０１４５】
図９は本発明の通信端末および通信端末の電子メール検索方法のメールデータベースに格納されるメールデータのデータ構成をを示す構成図である。
【０１４６】
メールデータベース８にはメールの件名，宛先，発信元，発信日付，本文を格納する。
【０１４７】
図１０は本発明の通信端末および通信端末の電子メール検索方法のメール検索の動作を示す流れ図である。
【０１４８】
このメール検索の動作を示す流れ図は、メール検索手段５が図８のメール検索ステップＳ８２において呼び出された場合の処理の流れ図を示している。
【０１４９】
まず、検索キーとして、メールアドレス（図５の電話帳検索ステップＳ５２において検索された電話帳データに複数のメールアドレス１，２，３が登録されていた場合は、複数のメールアドレス１，２，３）を取得する（検索キー（メールアドレス１，メールアドレス２，メールアドレス３）取得ステップＳ１０１）。
【０１５０】
メールデータベース８に格納されたメールデータを１件ずつ読み出し（メールレコード読み出しステップＳ１０２）。
【０１５１】
読み出したメールデータに格納された宛先もしくは発信元が、検索キーとして指定されたいずれかのメールアドレス（メールアドレス１，メールアドレス２，メールアドレス３）に一致した場合は（メールアドレス１＝宛先ステップＳ１０３〜メールアドレス３＝発信元ステップＳ１０８）、メールデータを検索結果としてメール通信手段２に出力する（メールレコード出力ステップＳ１１１）。
【０１５２】
一致しなければ次のレコードを読み出し、同じ処理を繰り返す（全レコード終了ステップＳ１０９）。
【０１５３】
全レコードを参照しても、検索キーに一致するメールアドレスがなかった場合は、メール通信手段２に対して”該当レコード無し”の情報を通知する（該当レコード無しを出力ステップＳ１１０）。
【０１５４】
図１１は本発明の通信端末および通信端末の電子メール検索方法の画面表示切換手段の構成を示を構成図である。
【０１５５】
画面表示切換手段３は、音声通信手段１が液晶ディスプレイ１１５などの表示装置に表示する画面表示内容と、メール通信手段２が表示する画面表示内容の２つの内容を画面表示情報１１１として保持する。
【０１５６】
現在、表示装置上に表示する画面は音声通信手段１かメール通信手段２の区別を現在の有効画面１１２として保持する。
【０１５７】
実際に表示装置上に表示する表示内容は、画面バッファ１１４に格納され、定期的かあるいは画面バッファ１１４の内容が更新されると、画面表示切替手段３は液晶ディスプレイ１１５に画面バッファ１１４の内容を転送し、表示画面が更新される。
【０１５８】
画面表示情報１１１に格納された２つの画面情報は、画面セレクタ１１３を介して画面バッファ１１４に転送される。画面セレクタ１１３は現在の有効画面１１２の情報に従い、音声通信手段画面情報１１１１かメール通信手段画面情報１１１２のいずれか一方を常に画面バッファ１１４に転送する。
【０１５９】
このような構成による、現在の有効画面１１２の情報を書き換えることで、液晶ディスプレイ１１５等の表示装置に表示する画面内容を、音声通信手段１かメール通信手段２かのいずれかに随時切り替えることができる。
【０１６０】
【発明の効果】
以上説明したように、本発明の通信端末および通信端末の電子メール検索方法は、
第１の効果は、携帯電話機に格納された多数の電子メールの中から、現在音声通話中の相手とのやりとりを行なったメールのみを、機械的に抽出し利用者が参照することができる。
【０１６１】
その理由は、音声通話中に利用者により、あらかじめ定められたキーの押下により、通話相手に関連するメールが通話中の電話番号から携帯電話機内に保存された送信メール及び受信メール抽出までの一連した連繋抽出手段により検索され一覧表示されるからである。
【図面の簡単な説明】
【図１】本発明の通信端末および通信端末の電子メール検索方法の一実施の形態を示すブロック図である。
【図２】本発明の通信端末および通信端末の電子メール検索方法の発信時の音声通話開始時の動作を示す流れ図である。
【図３】本発明の通信端末および通信端末の電子メール検索方法の着信時の音声通話開始時の動作を示す流れ図である。
【図４】本発明の通信端末および通信端末の電子メール検索方法の発着信履歴データベースのデータ構成をを示す構成図である。
【図５】本発明の通信端末および通信端末の電子メール検索方法における音声通信手段の動作を示す流れ図である。
【図６】本発明の通信端末および通信端末の電子メール検索方法の電話帳データベースに格納される電話帳のデータ構成をを示す構成図である。
【図７】本発明の通信端末および通信端末の電子メール検索方法の電話帳検索の動作を示す流れ図である。
【図８】本発明の通信端末および通信端末の電子メール検索方法のメール通信手段の動作を示す流れ図である。
【図９】本発明の通信端末および通信端末の電子メール検索方法のメールデータベースに格納されるメールデータのデータ構成をを示す構成図である。
【図１０】本発明の通信端末および通信端末の電子メール検索方法のメール検索の動作を示す流れ図である。
【図１１】本発明の通信端末および通信端末の電子メール検索方法の画面表示切換手段の構成を示を構成図である。
【符号の説明】
１　　音声通信手段
２　　メール通信手段
３　　画面表示切換手段
４　　電話帳検索手段
５　　メール検索手段
６　　発着信履歴データベース
７　　電話帳データベース
８　　メールデータベース
９　　タスク実行管理手段
４１　　発信時の履歴情報
４２　　着信時の履歴情報
１１１　　画面表示情報
１１２　　現在の有効画面
１１３　　画面セレクタ
１１４　　画面バッファ
１１５　　液晶ディスプレイ
１１１１　　音声通信手段画面情報
１１１２　　メール通信手段画面情報
【図１】
2004147070.tif 000003
【図２】
2004147070.tif 000004
【図３】
2004147070.tif 000005
【図４】
2004147070.tif 000006
【図５】
2004147070.tif 000007
【図６】
2004147070.tif 000008
【図７】
2004147070.tif 000009
【図８】
2004147070.tif 000010
【図９】
2004147070.tif 000011
【図１０】
2004147070.tif 000012
【図１１】
2004147070.tif 000013